(57)【要約】【課題】限られたスペースで、カンニングを防止しつつ、効率的に試験を実施することができる試験問題作成・採点方法およびそのシステム、試験問題作成・採点サーバ、携帯型解答者端末装置、プログラム、並びに携帯型解答者端末装置搭載用プログラムを提供すること。【解決手段】出題者が作成した設問文および複数の解答選択肢を配列してなるデータに基づき、シャフル手段３１により、小問の中での各解答選択肢の配列および／または試験問題の中での各小問の配列を変更する並べ替え処理を行うことにより複数種類の試験問題を作成し、これらを印刷装置３４で各問題用紙１１に印刷して各解答者に配布し、各解答者に対し異なる種類の試験問題を出題する。【選択図】　図１
2004144903.tif 000002
【特許請求の範囲】
【請求項１】
複数の解答者を対象として行われる試験で用いられる設問文および複数の解答選択肢からなる小問を少なくとも一つ含む試験問題の作成および採点を行う試験問題作成・採点方法であって、
シャフル手段により、出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるとともに、
問題・正解対応関係データ作成手段により、前記シャフル手段により作成された前記各解答選択肢の配列および／または前記各小問の配列の異なる複数種類の前記試験問題を識別するための問題種別識別情報とこれらの試験問題の正解との対応関係を定める問題・正解対応関係データを作成し、この問題・正解対応関係データを問題・正解対応関係データ記憶手段に記憶させ、
その後、前記シャフル手段により作成された複数種類の前記試験問題のうちのいずれか一種類を各問題用紙に印刷するとともに、印刷した試験問題についての前記問題種別識別情報も合わせて前記各問題用紙に印刷し、
続いて、印刷した前記各問題用紙を前記各解答者に配布し、前記各解答者に前記各試験問題に対する解答および前記各問題種別識別情報を各ＯＣＲ用紙に記入させた後、
ＯＣＲ読取装置により、前記各解答者が前記各ＯＣＲ用紙に記入した前記各試験問題に対する解答および前記各問題種別識別情報を読み取り、
採点手段により、前記ＯＣＲ読取装置により読み取った前記各解答データおよび前記各問題種別識別情報、並びに前記問題・正解対応関係データ記憶手段に記憶された前記問題・正解対応関係データに基づき、前記各解答者による前記解答を採点する
ことを特徴とする試験問題作成・採点方法。
【請求項２】
複数の解答者を対象として行われる試験で用いられる設問文および複数の解答選択肢からなる小問を少なくとも一つ含む試験問題の作成および採点を行う試験問題作成・採点システムであって、
出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるシャフル手段と、
このシャフル手段により作成された前記各解答選択肢の配列および／または前記各小問の配列の異なる複数種類の前記試験問題を識別するための問題種別識別情報とこれらの試験問題の正解との対応関係を定める問題・正解対応関係データを作成する問題・正解対応関係データ作成手段と、
この問題・正解対応関係データ作成手段により作成された前記問題・正解対応関係データを記憶する問題・正解対応関係データ記憶手段と、
前記シャフル手段により作成された複数種類の前記試験問題のうちのいずれか一種類とこの試験問題についての前記問題種別識別情報とを各問題用紙に印刷する処理を行う印刷処理手段と、
この印刷処理手段による指令に基づき前記各問題用紙への印刷を行う印刷装置と、
前記各問題用紙を配布された前記各解答者が各ＯＣＲ用紙に記入した前記各試験問題に対する解答および前記各問題種別識別情報を読み取るＯＣＲ読取装置と、
このＯＣＲ読取装置により読み取った前記各解答データおよび前記各問題種別識別情報、並びに前記問題・正解対応関係データ記憶手段に記憶された前記問題・正解対応関係データに基づき、前記各解答者による前記解答を採点する採点手段と
を備えたことを特徴とする試験問題作成・採点システム。
【請求項３】
請求項２に記載の試験問題作成・採点システムにおいて、
前記ＯＣＲ読取装置は、複数のコンピュータの各々に接続され、
これらのコンピュータの各々は、それぞれ前記採点手段と、前記採点手段による採点結果情報を含むバーコードを印刷するバーコード印刷手段とを備えている
ことを特徴とする試験問題作成・採点システム。
【請求項４】
複数の解答者を対象として行われる試験で用いられる設問文および複数の解答選択肢からなる小問を少なくとも一つ含む試験問題の作成および採点を行う試験問題作成・採点システムとして、コンピュータを機能させるためのプログラムであって、
出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるシャフル手段と、
このシャフル手段により作成された前記各解答選択肢の配列および／または前記各小問の配列の異なる複数種類の前記試験問題を識別するための問題種別識別情報とこれらの試験問題の正解との対応関係を定める問題・正解対応関係データを作成する問題・正解対応関係データ作成手段と、
前記シャフル手段により作成された複数種類の前記試験問題のうちのいずれか一種類とこの試験問題についての前記問題種別識別情報とを各問題用紙に印刷する処理を行う印刷処理手段と、
前記各問題用紙を配布された前記各解答者により各ＯＣＲ用紙に記入されてＯＣＲ読取装置により読み取られた各解答データおよび前記各問題種別識別情報、並びに前記問題・正解対応関係データに基づき、前記各解答者による前記解答を採点する採点手段と
を備えたことを特徴とする試験問題作成・採点システムとして、コンピュータを機能させるためのプログラム。
【請求項５】
複数の解答者を対象として行われる試験で用いられる設問文および複数の解答選択肢からなる小問を少なくとも一つ含む試験問題の作成および採点を行う試験問題作成・採点方法であって、
前記各解答者が操作する複数の解答者端末装置と、前記試験問題の作成および採点に必要な処理を行う試験問題作成・採点サーバとをネットワークで接続し、
前記試験問題作成・採点サーバのシャフル手段により、出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるとともに、
前記試験問題作成・採点サーバの問題・正解対応関係データ作成手段により、前記シャフル手段により作成された前記各解答選択肢の配列および／または前記各小問の配列の異なる複数種類の前記試験問題を識別するための問題種別識別情報とこれらの試験問題の正解との対応関係を定める問題・正解対応関係データを作成し、この問題・正解対応関係データを前記試験問題作成・採点サーバの問題・正解対応関係データ記憶手段に記憶させ、
その後、前記試験問題作成・採点サーバの問題画面生成手段により、前記シャフル手段により作成された複数種類の前記試験問題の表示用画面を生成し、
続いて、前記試験問題作成・採点サーバの問題画面送信手段により、前記問題画面生成手段により生成された複数種類の前記試験問題の表示用画面のうちのいずれか一種類とこの試験問題についての前記問題種別識別情報とを、前記ネットワークを介して前記各解答者端末装置に送信し、前記各解答者端末装置で表示手段に画面表示された前記試験問題を参照させながら入力手段を用いて前記各解答者に前記各試験問題に対する解答を入力させた後、
前記試験問題作成・採点サーバの解答受信手段により、前記各解答者端末装置で前記各解答者により入力された前記各試験問題に対する解答データを受信するとともに、この解答データとともに送られてくる前記問題種別識別情報も合わせて受信し、
前記試験問題作成・採点サーバの採点手段により、前記解答受信手段により受信した前記各解答データおよび前記各問題種別識別情報、並びに前記問題・正解対応関係データ記憶手段に記憶された前記問題・正解対応関係データに基づき、前記各解答者による前記解答を採点する
ことを特徴とする試験問題作成・採点方法。
【請求項６】
複数の解答者を対象として行われる試験で用いられる設問文および複数の解答選択肢からなる小問を少なくとも一つ含む試験問題の作成および採点を行う試験問題作成・採点システムであって、
前記各解答者が操作する複数の解答者端末装置と、これらの解答者端末装置とネットワークで接続されて前記試験問題の作成および採点に必要な処理を行う試験問題作成・採点サーバとを備え、
前記各解答者端末装置は、前記試験問題を画面表示する表示手段と、前記試験問題に対する解答を入力する入力手段とを含んで構成され、
前記試験問題作成・採点サーバは、
出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるシャフル手段と、
このシャフル手段により作成された前記各解答選択肢の配列および／または前記各小問の配列の異なる複数種類の前記試験問題を識別するための問題種別識別情報とこれらの試験問題の正解との対応関係を定める問題・正解対応関係データを作成する問題・正解対応関係データ作成手段と、
この問題・正解対応関係データ作成手段により作成された前記問題・正解対応関係データを記憶する問題・正解対応関係データ記憶手段と、
前記シャフル手段により作成された複数種類の前記試験問題の表示用画面を生成する問題画面生成手段と、
この問題画面生成手段により生成された複数種類の前記試験問題の表示用画面のうちのいずれか一種類とこの試験問題についての前記問題種別識別情報とを前記ネットワークを介して前記各解答者端末装置に送信する問題画面送信手段と、前記各表示手段に画面表示された前記各試験問題を参照しながら前記各解答者により前記各入力手段を用いて入力された前記各試験問題に対する解答データおよびこの解答データとともに送られてくる前記問題種別識別情報を受信する解答受信手段と、
この解答受信手段により受信した前記各解答データおよび前記各問題種別識別情報、並びに前記問題・正解対応関係データ記憶手段に記憶された前記問題・正解対応関係データに基づき、前記各解答者による前記解答を採点する採点手段とを含んで構成された
ことを特徴とする試験問題作成・採点システム。
【請求項７】
複数の解答者を対象として行われる試験で用いられる設問文および複数の解答選択肢からなる小問を少なくとも一つ含む試験問題の作成および採点を行う試験問題作成・採点システムを構成するために、前記各解答者が操作する複数の解答者端末装置とネットワークで接続されて前記試験問題の作成および採点に必要な処理を行う試験問題作成・採点サーバであって、
出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるシャフル手段と、
このシャフル手段により作成された前記各解答選択肢の配列および／または前記各小問の配列の異なる複数種類の前記試験問題を識別するための問題種別識別情報とこれらの試験問題の正解との対応関係を定める問題・正解対応関係データを作成する問題・正解対応関係データ作成手段と、
この問題・正解対応関係データ作成手段により作成された前記問題・正解対応関係データを記憶する問題・正解対応関係データ記憶手段と、
前記シャフル手段により作成された複数種類の前記試験問題の表示用画面を生成する問題画面生成手段と、
この問題画面生成手段により生成された複数種類の前記試験問題の表示用画面のうちのいずれか一種類とこの試験問題についての前記問題種別識別情報とを前記ネットワークを介して前記各解答者端末装置に送信する問題画面送信手段と、
前記各解答者端末装置で表示手段に画面表示された前記各試験問題を参照しながら前記各解答者により入力手段を用いて入力された前記各試験問題に対する解答データおよびこの解答データとともに送られてくる前記問題種別識別情報を受信する解答受信手段と、
この解答受信手段により受信した前記各解答データおよび前記各問題種別識別情報、並びに前記問題・正解対応関係データ記憶手段に記憶された前記問題・正解対応関係データに基づき、前記各解答者による前記解答を採点する採点手段と
を備えたことを特徴とする試験問題作成・採点サーバ。
【請求項８】
複数の解答者を対象として行われる試験で用いられる設問文および複数の解答選択肢からなる小問を少なくとも一つ含む試験問題の作成および採点を行う試験問題作成・採点システムを構成するために、前記各解答者が操作する複数の解答者端末装置とネットワークで接続されて前記試験問題の作成および採点に必要な処理を行う試験問題作成・採点サーバとして、コンピュータを機能させるためのプログラムであって、
出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるシャフル手段と、
このシャフル手段により作成された前記各解答選択肢の配列および／または前記各小問の配列の異なる複数種類の前記試験問題を識別するための問題種別識別情報とこれらの試験問題の正解との対応関係を定める問題・正解対応関係データを作成する問題・正解対応関係データ作成手段と、
前記シャフル手段により作成された複数種類の前記試験問題の表示用画面を生成する問題画面生成手段と、
この問題画面生成手段により生成された複数種類の前記試験問題の表示用画面のうちのいずれか一種類とこの試験問題についての前記問題種別識別情報とを前記ネットワークを介して前記各解答者端末装置に送信する問題画面送信手段と、
前記各解答者端末装置で表示手段に画面表示された前記各試験問題を参照しながら前記各解答者により入力手段を用いて入力された前記各試験問題に対する解答データおよびこの解答データとともに送られてくる前記問題種別識別情報を受信する解答受信手段と、
この解答受信手段により受信した前記各解答データおよび前記各問題種別識別情報、並びに前記問題・正解対応関係データに基づき、前記各解答者による前記解答を採点する採点手段と
を備えたことを特徴とする試験問題作成・採点サーバとして、コンピュータを機能させるためのプログラム。
【請求項９】
複数の解答者を対象として行われる試験で用いられる設問文および複数の解答選択肢からなる小問を少なくとも一つ含む試験問題の作成および採点を行う試験問題作成・採点方法であって、
前記複数の解答者の各々が携帯して操作する複数の携帯型解答者端末装置を用意し、
設問文・選択肢データ配信手段により、出題者が作成した前記設問文および前記複数の解答選択肢を配列してなる設問文・選択肢データを前記各携帯型解答者端末装置にそれぞれ同一データの状態で配信し、
その後、前記各携帯型解答者端末装置のシャフル手段により、前記設問文・選択肢データ配信手段から受信した前記設問文・選択肢データに基づき、前記小問の中での前記各解答選択肢の配列および／または前記試験問題の中での前記各小問の配列を変更するために前記各解答選択肢および／または前記各小問を自動的に並べ替えるとともに、
前記シャフル手段による配列変更前後の対応関係を定める変更前後対応関係情報を前記各携帯型解答者端末装置の変更前後対応関係情報記憶手段に記憶させ、
続いて、前記各携帯型解答者端末装置の表示手段の画面上に前記試験問題を表示し、この画面表示された前記試験問題を参照させながら前記各解答者に前記試験問題に対する解答を入力させた後、
解答受取手段により、前記各解答者による前記解答データおよび前記各変更前後対応関係情報記憶手段に記憶された前記変更前後対応関係情報を前記各携帯型解答者端末装置から受け取り、
採点手段により、前記解答受取手段により受け取った前記各解答者による前記解答データおよび前記各変更前後対応関係情報に基づき、前記各解答者による前記解答を採点する
ことを特徴とする試験問題作成・採点方法。
【請求項１０】
複数の解答者を対象として行われる試験で用いられる設問文および複数の解答選択肢からなる小問を少なくとも一つ含む試験問題の作成および採点を行う試験問題作成・採点システムであって、
前記複数の解答者の各々が携帯して操作する複数の携帯型解答者端末装置と、
出題者が作成した前記設問文および前記複数の解答選択肢を配列してなる設問文・選択肢データを前記各携帯型解答者端末装置にそれぞれ同一データの状態で配信する設問文・選択肢データ配信手段と、
前記各解答者による前記試験問題に対する解答を前記各携帯型解答者端末装置から受け取る解答受取手段と、
この解答受取手段で受け取った前記各解答者による前記解答を採点する採点手段とを備え、
前記各携帯型解答者端末装置は、
前記設問文・選択肢データ配信手段から受信した前記設問文・選択肢データに基づき、前記小問の中での前記各解答選択肢の配列および／または前記試験問題の中での前記各小問の配列を変更するために前記各解答選択肢および／または前記各小問を自動的に並べ替えるシャフル手段と、
このシャフル手段による配列変更前後の対応関係を定める変更前後対応関係情報を記憶する変更前後対応関係情報記憶手段と、
前記シャフル手段により作成された前記試験問題を画面表示する表示手段と、
前記試験問題に対する解答を入力する入力手段とを含んで構成され、
前記解答受取手段は、前記各解答者による前記解答データを受け取るとともに、この解答データとともに送られてくる前記変更前後対応関係情報記憶手段に記憶された前記変更前後対応関係情報も受け取る構成とされ、
前記採点手段は、前記解答受取手段により受け取った前記各解答データおよび前記各変更前後対応関係情報に基づき、前記各解答者による前記解答を採点する構成とされている
ことを特徴とする試験問題作成・採点システム。
【請求項１１】
請求項１０に記載の試験問題作成・採点システムにおいて、
前記シャフル手段は、乱数を用いて前記各解答選択肢および／または前記各小問を自動的に並べ替える構成とされ、
前記変更前後対応関係情報は、前記シャフル手段による処理に用いられた前記乱数である
ことを特徴とする試験問題作成・採点システム。
【請求項１２】
請求項１０または１１に記載の試験問題作成・採点システムにおいて、
前記各携帯型解答者端末装置は、前記各解答者から提示される解答者識別情報を含むバーコードを読み取るバーコード読取手段を備えていることを特徴とする試験問題作成・採点システム。
【請求項１３】
複数の解答者を対象として行われる試験で用いられる設問文および複数の解答選択肢からなる小問を少なくとも一つ含む試験問題の作成および採点を行う試験問題作成・採点システムを構成するために、前記複数の解答者の各々が携帯して操作する携帯型解答者端末装置であって、
出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるシャフル手段と、
このシャフル手段による配列変更前後の対応関係を定める変更前後対応関係情報を記憶する変更前後対応関係情報記憶手段と、
前記シャフル手段により作成された前記試験問題を画面表示する表示手段と、
前記試験問題に対する解答を入力する入力手段と
を備えたことを特徴とする携帯型解答者端末装置。
【請求項１４】
複数の解答者を対象として行われる試験で用いられる設問文および複数の解答選択肢からなる小問を少なくとも一つ含む試験問題の作成および採点を行う試験問題作成・採点システムを構成するために、前記複数の解答者の各々が携帯して操作する携帯型解答者端末装置に搭載する携帯型解答者端末装置搭載用プログラムであって、
出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるシャフル手段として、前記携帯型解答者端末装置を機能させるための携帯型解答者端末装置搭載用プログラム。
【請求項１５】
複数の解答者を対象として行われる試験で用いられる設問文および複数の解答選択肢からなる小問を少なくとも一つ含む試験問題の作成および採点を行う試験問題作成・採点方法であって、
前記各解答者が携帯して操作する少なくとも一つの携帯型解答者端末装置を用意し、
シャフル手段により、出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるとともに、
問題・正解対応関係データ作成手段により、前記シャフル手段により作成された前記各解答選択肢の配列および／または前記各小問の配列の異なる複数種類の前記試験問題を識別するための問題種別識別情報とこれらの試験問題の正解との対応関係を定める問題・正解対応関係データを作成し、この問題・正解対応関係データを問題・正解対応関係データ記憶手段に記憶させ、
その後、前記シャフル手段により作成された複数種類の前記試験問題の全種類を問題用紙に印刷するとともに、これらの試験問題についての前記問題種別識別情報も合わせて前記問題用紙に印刷し、
続いて、前記各解答者が携帯している前記携帯型解答者端末装置の表示手段の画面上で、前記問題種別識別情報を表示することにより前記各解答者が解答すべき種類の前記試験問題を指定し、この指定した前記試験問題に対する解答を、前記問題用紙を参照している前記各解答者に入力させた後、
解答受取手段により、前記各解答者による前記解答データおよび指定した前記試験問題についての前記問題種別識別情報を前記携帯型解答者端末装置から受け取り、
採点手段により、前記解答受取手段により受け取った前記各解答者による前記解答データおよび前記問題種別識別情報、並びに前記問題・正解対応関係データ記憶手段に記憶された前記問題・正解対応関係データに基づき、前記各解答者による前記解答を採点する
ことを特徴とする試験問題作成・採点方法。
【請求項１６】
複数の解答者を対象として行われる試験で用いられる設問文および複数の解答選択肢からなる小問を少なくとも一つ含む試験問題の作成および採点を行う試験問題作成・採点システムであって、
前記各解答者が携帯して操作する少なくとも一つの携帯型解答者端末装置と、
出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるシャフル手段と、
このシャフル手段により作成された前記各解答選択肢の配列および／または前記各小問の配列の異なる複数種類の前記試験問題を識別するための問題種別識別情報とこれらの試験問題の正解との対応関係を定める問題・正解対応関係データを作成する問題・正解対応関係データ作成手段と、
この問題・正解対応関係データ作成手段により作成された前記問題・正解対応関係データを記憶する問題・正解対応関係データ記憶手段と、
前記シャフル手段により作成された複数種類の前記試験問題の全種類とこれらの試験問題についての前記問題種別識別情報とを問題用紙に印刷する処理を行う印刷処理手段と、
この印刷処理手段による指令に基づき前記問題用紙への印刷を行う印刷装置と、
前記各解答者による前記解答データおよびこの解答データとともに送られてくる前記問題種別識別情報を前記携帯型解答者端末装置から受け取る解答受取手段と、
この解答受取手段により受け取った前記各解答者による前記解答データおよび前記問題種別識別情報、並びに前記問題・正解対応関係データ記憶手段に記憶された前記問題・正解対応関係データに基づき、前記各解答者による前記解答を採点する採点手段とを備え、
前記携帯型解答者端末装置は、
情報を画面表示する表示手段と、
この表示手段の画面上に前記問題種別識別情報を表示することにより前記各解答者が解答すべき種類の前記試験問題を指定する問題指定処理手段と、
前記試験問題に対する解答を入力する入力手段とを含んで構成されている
ことを特徴とする試験問題作成・採点システム。
【請求項１７】
請求項１６に記載の試験問題作成・採点システムにおいて、
前記携帯型解答者端末装置は、前記解答者から提示される解答者識別情報を含むバーコードを読み取るバーコード読取手段を備えていることを特徴とする試験問題作成・採点システム。
【請求項１８】
複数の解答者を対象として行われる試験で用いられる設問文および複数の解答選択肢からなる小問を少なくとも一つ含む試験問題の作成および採点を行う試験問題作成・採点システムとして、コンピュータを機能させるためのプログラムであって、
出題者が作成した前記設問文および前記複数の解答選択肢を配列してなる設問文・選択肢データに基づき、前記小問の中での前記各解答選択肢の配列および／または前記試験問題の中での前記各小問の配列を変更するために前記各解答選択肢および／または前記各小問を自動的に並べ替えるシャフル手段と、
このシャフル手段により作成された前記各解答選択肢の配列および／または前記各小問の配列の異なる複数種類の前記試験問題を識別するための問題種別識別情報とこれらの試験問題の正解との対応関係を定める問題・正解対応関係データを作成する問題・正解対応関係データ作成手段と、
前記シャフル手段により作成された複数種類の前記試験問題の全種類とこれらの試験問題についての前記問題種別識別情報とを問題用紙に印刷する処理を行う印刷処理手段と、
前記携帯型解答者端末装置の表示手段の画面上で指定された前記試験問題に対する前記各解答者による前記解答データおよび指定された前記試験問題についての前記問題種別識別情報を前記携帯型解答者端末装置から受け取る解答受取手段と、
この解答受取手段により受け取った前記各解答者による前記解答データおよび前記問題種別識別情報、並びに前記問題・正解対応関係データに基づき、前記各解答者による前記解答を採点する採点手段と
を備えたことを特徴とする試験問題作成・採点システムとして、コンピュータを機能させるためのプログラム。
【発明の詳細な説明】
【０００１】
【発明の属する技術分野】
本発明は、複数の解答者を対象として行われる試験で用いられる設問文および複数の解答選択肢からなる小問を少なくとも一つ含む試験問題の作成および採点を行う試験問題作成・採点方法およびそのシステム、試験問題作成・採点サーバ、携帯型解答者端末装置、プログラム、並びに携帯型解答者端末装置搭載用プログラムに係り、例えば、学生の教育内容の理解度を確認・評価するために、通常の授業や講義を行う教室内において学力試験を実施する場合等に利用できる。
【０００２】
【背景技術】
従来より、各種教育の現場では、学生に対して様々な内容の試験が実施されている。学生への試験の実施は、教育内容の理解度を確認・評価するために必要であり、また、学生に学ぶ姿勢を維持させるためには、試験の頻繁な実施が望ましい。このような試験は、通常、学生を教室に集め、全ての学生に対して同一問題を記載した問題用紙を配布して解答させる、いわゆるペーパー試験の形式で行われることが多かった。
【０００３】
これに対し、近年、コンピュータやネットワーク技術の進歩に伴い、学生が教室に出向かずに受講できるオンラインによる講義が行われるようになってきたことと併せ、学生の理解度の確認・評価のための試験もオンラインで行われるようになってきた。そして、このようなオンライン試験を行うシステムとしては、各種学校や講習会等において学生や受講者を対象にして実施する学力試験や学科試験のみならず、例えば、各種資格試験や入学試験等を行うシステムについても開発され、あるいは提案されている（例えば、特許文献１、特許文献２参照）。
【０００４】
特許文献１に記載されたシステムは、例えば、運転免許等の資格取得のための試験を行うシステムであり、設問データと正解データとを予め記憶する記憶装置と、受験者毎に割り当てられる試験端末装置と、受験者の点数を算出するセンタサーバとを備えている。このシステムでは、センタサーバにより、記憶装置に記憶された複数の設問データの中から、受験者に出題する設問データを受験者毎に任意に選定し、選定した設問データを、対応する受験者に割り当てられた試験端末装置にネットワークを介して送信し、試験端末装置から受け取った解答データを正解データと照合して受験者の点数を算出する。この際、各受験者に対する設問データの任意の選定処理は、受験者が申請した試験種別または試験の難易度に従って行われる。このシステムによれば、採点時間の短縮、試験場側の人数の削減を図ることができる。
【０００５】
特許文献２に記載されたシステムは、インターネット等の通信ネットワークを介してオンラインで各種試験を行うシステムである。このシステムでは、互いに異なる１以上の問題をそれぞれ含む複数の第１次問題群を作成し、さらに問題群をランダムに選択しながら複数階層の問題群（第１次〜第ｎ次）を順次作成していき、複数の第ｎ次問題群が作成されると、その複数の第ｎ次問題群の中の少なくとも一つをオンライン試験用問題集として用いる。このシステムによれば、同じ系統（同じ分野、同じ教科）の試験を行う際に、全く異なるオンライン試験用問題集を作成することができ、多数の受験者に対し、全く異なる試験問題を個別に出題することが可能になる。
【０００６】
【特許文献１】
特開２００１−３２４９１８号公報（段落番号［００２６］、図１、要約書）
【特許文献２】
特開２００１−２９６７９０号公報（段落番号［０００８］、［００１４］、図３）
【０００７】
【発明が解決しようとする課題】
しかしながら、前述した従来のペーパー試験を行う場合、あるいは特許文献２や特許文献３に記載されたシステムによりオンライン試験を行う場合では、いずれの場合についても、次のような問題が生じる。
【０００８】
すなわち、ペーパー試験は、通常の授業や講義を実施する教室で行われる場合が多いが、このような教室では学生の座席が接近しているため、他人の解答を盗み見るカンニング行為を防止することは困難である。また、学生の側から見ると、自分の解答を他人に容易に盗み見られてしまう状況で試験が行われたのでは、正当な評価が得られないため、試験があるにもかかわらず、学習意欲が減退してしまう。さらに、教員の側では、試験の採点とそのデータ整理に長時間を要するため、学習到達度の評価に十分な時間をとることができないという問題がある。
【０００９】
また、特許文献２に記載されたシステムによりオンライン試験を行えば、採点時間の短縮、試験場側の人数の削減を図ることはできるものの、各受験者に対する設問データの任意の選定処理が、受験者の申請した試験種別または試験の難易度に従って行われるのみであるため、各受験者に出題される試験問題は、試験種別または試験の難易度が同じであることを除けば、それぞれ全く異なる内容となってしまう。このため、運転免許取得試験のように一定水準以上の得点をとれば合格となるような試験、あるいは語学学習のように試験というよりは反復練習問題としての出題には適しているかもしれないが、各受験者の相対評価を行うような試験に適用すると、各受験者間に不公平が生じてしまうという問題がある。
【００１０】
さらに、各受験者に対する設問データの任意の選定処理を行う前提として、任意に選定される候補となるべき複数の設問データを予め用意しておかなければならないので、試験問題作成に手間がかかるという問題がある。つまり、選定されない設問データも当然に存在することになるため、予め用意しておくべき設問データの個数は、多数にしなければならないうえ、システムの運用期間によっては、一度も選定されることのない設問データが生じる可能性もあり、作成した試験問題が結果的に一部無駄になるおそれもあるという問題がある。
【００１１】
また、特許文献３に記載されたシステムによりオンライン試験を行った場合でも、特許文献２のシステムの場合と同様な問題が生じる。すなわち、同じ系統（同じ分野、同じ教科）の試験であるという点を除けば、多数の受験者に対し、内容的には全く異なる試験問題が個別に出題されることになるので、各受験者間に不公平が生じるという問題、試験問題作成に手間がかかるという問題、および作成した試験問題が一部無駄になるおそれがあるという問題が生じる。
【００１２】
本発明の目的は、限られたスペースで、カンニングを防止しつつ、効率的に試験を実施することができる試験問題作成・採点方法およびそのシステム、試験問題作成・採点サーバ、携帯型解答者端末装置、プログラム、並びに携帯型解答者端末装置搭載用プログラムを提供するところにある。
【００１３】
【課題を解決するための手段】
本発明は、出題者が作成した設問文および複数の解答選択肢を配列してなる設問文・選択肢データに基づき、小問の中での各解答選択肢の配列および／または試験問題の中での各小問の配列を変更するために各解答選択肢および／または前記各小問を自動的に並べ替えて前記目的を達成しようとするものである。
【００１４】
具体的には、本発明は、複数の解答者を対象として行われる試験で用いられる設問文および複数の解答選択肢からなる小問を少なくとも一つ含む試験問題の作成および採点を行う試験問題作成・採点方法であって、シャフル手段により、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるとともに、問題・正解対応関係データ作成手段により、シャフル手段により作成された各解答選択肢の配列および／または各小問の配列の異なる複数種類の試験問題を識別するための問題種別識別情報とこれらの試験問題の正解との対応関係を定める問題・正解対応関係データを作成し、この問題・正解対応関係データを問題・正解対応関係データ記憶手段に記憶させ、その後、シャフル手段により作成された複数種類の試験問題のうちのいずれか一種類を各問題用紙に印刷するとともに、印刷した試験問題についての問題種別識別情報も合わせて各問題用紙に印刷し、続いて、印刷した各問題用紙を各解答者に配布し、各解答者に各試験問題に対する解答および各問題種別識別情報を各ＯＣＲ用紙に記入させた後、ＯＣＲ読取装置により、各解答者が各ＯＣＲ用紙に記入した各試験問題に対する解答および各問題種別識別情報を読み取り、採点手段により、ＯＣＲ読取装置により読み取った各解答データおよび各問題種別識別情報、並びに問題・正解対応関係データ記憶手段に記憶された問題・正解対応関係データに基づき、各解答者による解答を採点することを特徴とするものである。
【００１５】
ここで、「問題種別識別情報」は、結果的に複数種類の試験問題を識別できる情報であればよく、試験問題の種別を直接に特定する情報（例えば、問題パターン番号等）であってもよく、あるいは試験問題を印刷した問題用紙を特定することにより間接的にその問題用紙に印刷された試験問題の種別を特定する情報（例えば、問題用紙番号等）であってもよい。具体的には、数字、アルファベット、各種記号、あるいはこれらの組合せ等であり、解答者によるＯＣＲ用紙への記入作業およびＯＣＲ読取装置による読取処理に適した情報であればよい。
【００１６】
また、「小問の中での各解答選択肢の配列および／または試験問題の中での各小問の配列を変更する」とは、試験問題が一つの小問（小問は、設問文および複数の解答選択肢により構成されている。）のみにより構成されている場合には、その一つの小問の中での各解答選択肢の配列を変更するという意味であり、試験問題が複数の小問により構成されている場合には、次の三通りのいずれの場合も含む意味である。すなわち、試験問題の中での各小問の配列は変更せず、各小問の中での各解答選択肢の配列のみを変更する場合、試験問題の中での各小問の配列は変更するが、各小問の中での各解答選択肢の配列は変更しない場合、試験問題の中での各小問の配列を変更し、かつ、各小問の中での各解答選択肢の配列も変更する場合のいずれの場合でもよい趣旨である。他の発明についても同様である。
【００１７】
さらに、「出題者」には、教員や講師等の教鞭をとる者の他、例えば問題作成業者等も含まれる。
【００１８】
このような本発明の試験問題作成・採点方法においては、シャフル手段により、小問の中での各解答選択肢の配列および／または試験問題の中での各小問の配列を変更するための各解答選択肢および／または各小問の並べ替えを自動的に行う（シャフル処理）。このため、各解答選択肢の配列および／または各小問の配列の異なる複数種類の試験問題が作成される。
【００１９】
そして、各問題用紙に複数種類の試験問題のうちのいずれか一種類を印刷し、印刷した各問題用紙を解答者に配布するので、各解答者に対し、それぞれ異なる種類の試験問題が出題されることになる。従って、解答者同士の座席が比較的近い状況で試験を行ったとしても、各解答者に出題された試験問題がそれぞれ異なっているため、つまり正解がそれぞれ異なるため、近くの座席にいる他の解答者の解答を盗み見るカンニング行為を防止することができ、限られたスペースで試験を行うことが可能となる。
【００２０】
また、各問題用紙には、試験問題と合わせて問題種別識別情報も印刷され、各解答者は、試験問題に対する解答と合わせて問題種別識別情報も各ＯＣＲ用紙に記入する。そして、ＯＣＲ読取装置により、解答と合わせて問題種別識別情報も読み取られるので、各ＯＣＲ用紙に記入された解答が、いずれの種類の試験問題に対する解答なのかを問題種別識別情報により把握することが可能となる。このため、それぞれ異なる種類の試験問題を出題された各解答者による解答を、採点手段により採点することが可能となる。
【００２１】
さらに、前述した特許文献１や特許文献２に記載されたシステムの場合とは異なり、各解答者にそれぞれ異なる種類の試験問題を出題するといっても、小問の中での各解答選択肢の配列および／または試験問題の中での各小問の配列が異なるだけであり、試験問題を全体的に見た場合に、解答すべき内容は、いずれの試験問題も同じであるため、各解答者間に不公平が生じることはない。つまり、内容的には同じであるが、正解がそれぞれ異なる試験問題が各解答者に出題されるようになるので、各解答者間の平等を確保しつつ、カンニング防止を実現することが可能となる。
【００２２】
また、前述した特許文献１や特許文献２に記載されたシステムの場合のように、内容の異なる複数の問題を作成し、その中から所定数の問題を任意に抽出して出題するのではなく、出題者は、設問文および複数の解答選択肢を配列してなる設問文・選択肢データを一つ（一通り）だけ作成すればよく、この一つの設問文・選択肢データに基づき、シャフル手段により、複数種類の試験問題が自動的に作成される。このため、前述した特許文献１や特許文献２に記載されたシステムの場合に比べ、出題者の問題作成の手間が軽減され、効率的に試験を実施することが可能となる。
【００２３】
そして、出題者により作成された設問文および複数の解答選択肢は、配列が変更されるだけであり、それらの全てが各解答者に対して出題される試験問題の構成要素として活かされる。このため、無駄になる可能性（出題されない可能性）のある設問文および複数の解答選択肢は無いので、この点でも効率的に試験を実施することが可能となり、これらにより前記目的が達成される。
【００２４】
また、以上に述べた本発明の試験問題作成・採点方法を実現するシステムとして、以下のような本発明の試験問題作成・採点システムが挙げられる。
【００２５】
すなわち、本発明は、複数の解答者を対象として行われる試験で用いられる設問文および複数の解答選択肢からなる小問を少なくとも一つ含む試験問題の作成および採点を行う試験問題作成・採点システムであって、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるシャフル手段と、このシャフル手段により作成された各解答選択肢の配列および／または各小問の配列の異なる複数種類の試験問題を識別するための問題種別識別情報とこれらの試験問題の正解との対応関係を定める問題・正解対応関係データを作成する問題・正解対応関係データ作成手段と、この問題・正解対応関係データ作成手段により作成された問題・正解対応関係データを記憶する問題・正解対応関係データ記憶手段と、シャフル手段により作成された複数種類の試験問題のうちのいずれか一種類とこの試験問題についての問題種別識別情報とを各問題用紙に印刷する処理を行う印刷処理手段と、この印刷処理手段による指令に基づき各問題用紙への印刷を行う印刷装置と、各問題用紙を配布された各解答者が各ＯＣＲ用紙に記入した各試験問題に対する解答および各問題種別識別情報を読み取るＯＣＲ読取装置と、このＯＣＲ読取装置により読み取った各解答データおよび各問題種別識別情報、並びに問題・正解対応関係データ記憶手段に記憶された問題・正解対応関係データに基づき、各解答者による解答を採点する採点手段とを備えたことを特徴とするものである。
【００２６】
ここで、「シャフル手段」、「問題・正解対応関係データ作成手段」、「印刷処理手段」、「印刷装置」、「ＯＣＲ読取装置」、および「採点手段」は、一台のコンピュータに集中して設けられ、または接続されていてもよく、あるいは複数のコンピュータに分散して設けられ、または接続されていてもよい。
【００２７】
また、「問題・正解対応関係データ記憶手段」は、問題・正解対応関係データが、問題・正解対応関係データ作成手段により作成されてから、採点手段による採点処理に用いられる時まで、この問題・正解対応関係データを記憶できるものであればよく、例えば、光磁気ディスク（ＭＯ）、コンパクトディスク（ＣＤ）を利用した読出し専用メモリ（ＣＤ−ＲＯＭ）、ＣＤレコーダブル（ＣＤ−Ｒ）、ＣＤリライタブル（ＣＤ−ＲＷ）、デジタル・バーサタイル・ディスク（ＤＶＤ）を利用した読出し専用メモリ（ＤＶＤ−ＲＯＭ）、ＤＶＤを利用したランダム・アクセス・メモリ（ＤＶＤ−ＲＡＭ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）、あるいはこれらの組合せ等を採用することができる。
【００２８】
このような本発明の試験問題作成・採点システムにおいては、前述した本発明の試験問題作成・採点方法で得られる作用・効果がそのまま得られ、これにより前記目的が達成される。なお、以下では、これらの発明を「問題用紙およびＯＣＲ用紙を用いた発明」という。
【００２９】
また、上述した試験問題作成・採点システムにおいて、ＯＣＲ読取装置は、複数のコンピュータの各々に接続され、これらのコンピュータの各々は、それぞれ採点手段と、採点手段による採点結果情報を含むバーコードを印刷するバーコード印刷手段とを備えている構成としてもよい。
【００３０】
このように複数のコンピュータの各々にＯＣＲ読取装置、採点手段、およびバーコード印刷手段を設けた場合（例えば、後述する図１１の場合等）には、ＯＣＲ読取装置および採点手段により、複数のコンピュータの各々で独立して採点を行うことが可能となるうえ、バーコード印刷手段により、複数のコンピュータの各々で採点結果情報を含むバーコードを印刷することで、これらのバーコードを採点結果の集計に用いることが可能となる。このため、各ＯＣＲ用紙に記入されたデータの読取処理および採点処理を複数のコンピュータで分散して行うことができるので、これらの処理の迅速化が図られるうえ、採点結果の集計も容易に行うことが可能となる。
【００３１】
さらに、本発明は、複数の解答者を対象として行われる試験で用いられる設問文および複数の解答選択肢からなる小問を少なくとも一つ含む試験問題の作成および採点を行う試験問題作成・採点システムとして、コンピュータを機能させるためのプログラムであって、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるシャフル手段と、このシャフル手段により作成された各解答選択肢の配列および／または各小問の配列の異なる複数種類の試験問題を識別するための問題種別識別情報とこれらの試験問題の正解との対応関係を定める問題・正解対応関係データを作成する問題・正解対応関係データ作成手段と、シャフル手段により作成された複数種類の試験問題のうちのいずれか一種類とこの試験問題についての問題種別識別情報とを各問題用紙に印刷する処理を行う印刷処理手段と、各問題用紙を配布された各解答者により各ＯＣＲ用紙に記入されてＯＣＲ読取装置により読み取られた各解答データおよび各問題種別識別情報、並びに問題・正解対応関係データに基づき、各解答者による解答を採点する採点手段とを備えたことを特徴とする試験問題作成・採点システムとして、コンピュータを機能させるためのものである。
【００３２】
また、本発明は、複数の解答者を対象として行われる試験で用いられる設問文および複数の解答選択肢からなる小問を少なくとも一つ含む試験問題の作成および採点を行う試験問題作成・採点方法であって、各解答者が操作する複数の解答者端末装置と、試験問題の作成および採点に必要な処理を行う試験問題作成・採点サーバとをネットワークで接続し、試験問題作成・採点サーバのシャフル手段により、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるとともに、試験問題作成・採点サーバの問題・正解対応関係データ作成手段により、シャフル手段により作成された各解答選択肢の配列および／または各小問の配列の異なる複数種類の試験問題を識別するための問題種別識別情報とこれらの試験問題の正解との対応関係を定める問題・正解対応関係データを作成し、この問題・正解対応関係データを試験問題作成・採点サーバの問題・正解対応関係データ記憶手段に記憶させ、その後、試験問題作成・採点サーバの問題画面生成手段により、シャフル手段により作成された複数種類の試験問題の表示用画面を生成し、続いて、試験問題作成・採点サーバの問題画面送信手段により、問題画面生成手段により生成された複数種類の試験問題の表示用画面のうちのいずれか一種類とこの試験問題についての問題種別識別情報とを、ネットワークを介して各解答者端末装置に送信し、各解答者端末装置で表示手段に画面表示された試験問題を参照させながら入力手段を用いて各解答者に各試験問題に対する解答を入力させた後、試験問題作成・採点サーバの解答受信手段により、各解答者端末装置で各解答者により入力された各試験問題に対する解答データを受信するとともに、この解答データとともに送られてくる問題種別識別情報も合わせて受信し、試験問題作成・採点サーバの採点手段により、解答受信手段により受信した各解答データおよび各問題種別識別情報、並びに問題・正解対応関係データ記憶手段に記憶された問題・正解対応関係データに基づき、各解答者による解答を採点することを特徴とするものである。
【００３３】
ここで、「問題画面送信手段」により各解答者端末装置に送信された「問題種別識別情報」は、各解答者端末装置で表示手段に画面表示される必要はなく、問題画面に内部情報として付帯していればよい。従って、各解答者端末装置で表示手段に画面表示するのは、試験問題だけでよい。
【００３４】
また、「ネットワーク」には、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット、あるいはこれらの組合せ等、様々な形態のものが含まれ、有線であるか無線であるか、さらには有線および無線の混在型であるかは問わず、要するに、複数地点（距離の長短は問わない。）間で、ある程度の速度をもって情報を伝送することができるものであればよい。
【００３５】
このような本発明の試験問題作成・採点方法においては、シャフル手段により、小問の中での各解答選択肢の配列および／または試験問題の中での各小問の配列を変更するための各解答選択肢および／または各小問の並べ替えを自動的に行う（シャフル処理）。このため、各解答選択肢の配列および／または各小問の配列の異なる複数種類の試験問題が作成される。
【００３６】
そして、問題画面生成手段により、これらの複数種類の試験問題の表示用画面が生成され、問題画面送信手段により、各解答者端末装置に複数種類の試験問題の表示用画面のうちのいずれか一種類が送信されるので、各解答者端末装置の表示手段の画面上には、それぞれ異なる種類の試験問題の表示用画面が表示され、これにより各解答者に対し、それぞれ異なる種類の試験問題が出題されることになる。従って、解答者同士の座席が比較的近い状況で試験を行ったとしても、各解答者に出題された試験問題がそれぞれ異なっているため、つまり正解がそれぞれ異なるため、近くの座席にいる他の解答者の解答を盗み見るカンニング行為を防止することができ、限られたスペースで試験を行うことが可能となる。
【００３７】
また、各解答者端末装置には、試験問題の表示用画面と合わせて問題種別識別情報も送信され、各解答者端末装置からは、試験問題に対する解答と合わせて問題種別識別情報も送り返されてくるので、各解答者端末装置で入力された解答が、いずれの種類の試験問題に対する解答なのかを問題種別識別情報により把握することが可能となる。このため、それぞれ異なる種類の試験問題を出題された各解答者による解答を、採点手段により採点することが可能となる。
【００３８】
さらに、前述した問題用紙およびＯＣＲ用紙を用いた発明の場合と同様に、内容的には同じであるが、正解がそれぞれ異なる試験問題が各解答者に出題されるので、各解答者間の平等を確保しつつ、カンニング防止を実現することが可能となる。
【００３９】
また、前述した問題用紙およびＯＣＲ用紙を用いた発明の場合と同様に、出題者は、設問文・選択肢データを一つ（一通り）だけ作成すればよいので、出題者の問題作成の手間が軽減され、効率的に試験を実施することが可能となる。
【００４０】
そして、前述した問題用紙およびＯＣＲ用紙を用いた発明の場合と同様に、無駄になる可能性（出題されない可能性）のある設問文および複数の解答選択肢は無いので、この点でも効率的に試験を実施することが可能となり、これらにより前記目的が達成される。
【００４１】
また、以上に述べた本発明の試験問題作成・採点方法を実現するシステムとして、以下のような本発明の試験問題作成・採点システムが挙げられる。
【００４２】
すなわち、本発明は、複数の解答者を対象として行われる試験で用いられる設問文および複数の解答選択肢からなる小問を少なくとも一つ含む試験問題の作成および採点を行う試験問題作成・採点システムであって、各解答者が操作する複数の解答者端末装置と、これらの解答者端末装置とネットワークで接続されて試験問題の作成および採点に必要な処理を行う試験問題作成・採点サーバとを備え、各解答者端末装置は、試験問題を画面表示する表示手段と、試験問題に対する解答を入力する入力手段とを含んで構成され、試験問題作成・採点サーバは、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるシャフル手段と、このシャフル手段により作成された各解答選択肢の配列および／または各小問の配列の異なる複数種類の試験問題を識別するための問題種別識別情報とこれらの試験問題の正解との対応関係を定める問題・正解対応関係データを作成する問題・正解対応関係データ作成手段と、この問題・正解対応関係データ作成手段により作成された問題・正解対応関係データを記憶する問題・正解対応関係データ記憶手段と、シャフル手段により作成された複数種類の試験問題の表示用画面を生成する問題画面生成手段と、この問題画面生成手段により生成された複数種類の試験問題の表示用画面のうちのいずれか一種類とこの試験問題についての問題種別識別情報とをネットワークを介して各解答者端末装置に送信する問題画面送信手段と、各表示手段に画面表示された各試験問題を参照しながら各解答者により各入力手段を用いて入力された各試験問題に対する解答データおよびこの解答データとともに送られてくる問題種別識別情報を受信する解答受信手段と、この解答受信手段により受信した各解答データおよび各問題種別識別情報、並びに問題・正解対応関係データ記憶手段に記憶された問題・正解対応関係データに基づき、各解答者による解答を採点する採点手段とを含んで構成されたことを特徴とするものである。
【００４３】
ここで、「表示手段」としては、例えば、液晶ディスプレイ、ＣＲＴディスプレイ、有機ＥＬ（エレクトロルミネッセンス）ディスプレイ、ＥＣＬ（エレクトロケミルミネッセンス）ディスプレイ、プロジェクタおよびスクリーン、あるいはこれらの組合せ等を採用することができる。
【００４４】
また、「入力手段」としては、例えば、マウス、キーボード、トラックボール、ライトペン、トラックパッド、トラックポイント、タブレットおよびスタイラス、ジョイスティック、音声認識装置、あるいはこれらの組合せ等、各種のものを採用することができる。
【００４５】
さらに、「設問文・選択肢データ」の「試験問題作成・採点サーバ」への読込は、次のように行うことができる。すなわち、出題者の操作する出題者端末装置をネットワークで試験問題作成・採点サーバに接続しておき、出題者がこの出題者端末装置の設問文・選択肢作成手段により作成した設問文・選択肢データを、出題者端末装置の設問文・選択肢データ送信手段によりネットワークを介して試験問題作成・採点サーバに送信し、これを試験問題作成・採点サーバの設問文・選択肢データ受信手段により受信するようにしてもよく、あるいは、出題者が自分のコンピュータの設問文・選択肢作成手段により作成した設問文・選択肢データを、ＦＤやＭＯ等の記録媒体に記録し、この記録媒体から設問文・選択肢データを試験問題作成・採点サーバに読み込ませてもよい。
【００４６】
このような本発明の試験問題作成・採点システムにおいては、前述した本発明の試験問題作成・採点方法で得られる作用・効果がそのまま得られ、これにより前記目的が達成される。なお、以下では、これらの発明を「試験問題作成・採点サーバと解答者端末装置とをネットワークで接続した発明」という。
【００４７】
また、本発明は、複数の解答者を対象として行われる試験で用いられる設問文および複数の解答選択肢からなる小問を少なくとも一つ含む試験問題の作成および採点を行う試験問題作成・採点システムを構成するために、各解答者が操作する複数の解答者端末装置とネットワークで接続されて試験問題の作成および採点に必要な処理を行う試験問題作成・採点サーバであって、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるシャフル手段と、このシャフル手段により作成された各解答選択肢の配列および／または各小問の配列の異なる複数種類の試験問題を識別するための問題種別識別情報とこれらの試験問題の正解との対応関係を定める問題・正解対応関係データを作成する問題・正解対応関係データ作成手段と、この問題・正解対応関係データ作成手段により作成された問題・正解対応関係データを記憶する問題・正解対応関係データ記憶手段と、シャフル手段により作成された複数種類の試験問題の表示用画面を生成する問題画面生成手段と、この問題画面生成手段により生成された複数種類の試験問題の表示用画面のうちのいずれか一種類とこの試験問題についての問題種別識別情報とをネットワークを介して各解答者端末装置に送信する問題画面送信手段と、各解答者端末装置で表示手段に画面表示された各試験問題を参照しながら各解答者により入力手段を用いて入力された各試験問題に対する解答データおよびこの解答データとともに送られてくる問題種別識別情報を受信する解答受信手段と、この解答受信手段により受信した各解答データおよび各問題種別識別情報、並びに問題・正解対応関係データ記憶手段に記憶された問題・正解対応関係データに基づき、各解答者による解答を採点する採点手段とを備えたことを特徴とするものである。
【００４８】
そして、本発明は、複数の解答者を対象として行われる試験で用いられる設問文および複数の解答選択肢からなる小問を少なくとも一つ含む試験問題の作成および採点を行う試験問題作成・採点システムを構成するために、各解答者が操作する複数の解答者端末装置とネットワークで接続されて試験問題の作成および採点に必要な処理を行う試験問題作成・採点サーバとして、コンピュータを機能させるためのプログラムであって、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるシャフル手段と、このシャフル手段により作成された各解答選択肢の配列および／または各小問の配列の異なる複数種類の試験問題を識別するための問題種別識別情報とこれらの試験問題の正解との対応関係を定める問題・正解対応関係データを作成する問題・正解対応関係データ作成手段と、シャフル手段により作成された複数種類の試験問題の表示用画面を生成する問題画面生成手段と、この問題画面生成手段により生成された複数種類の試験問題の表示用画面のうちのいずれか一種類とこの試験問題についての問題種別識別情報とをネットワークを介して各解答者端末装置に送信する問題画面送信手段と、各解答者端末装置で表示手段に画面表示された各試験問題を参照しながら各解答者により入力手段を用いて入力された各試験問題に対する解答データおよびこの解答データとともに送られてくる問題種別識別情報を受信する解答受信手段と、この解答受信手段により受信した各解答データおよび各問題種別識別情報、並びに問題・正解対応関係データに基づき、各解答者による解答を採点する採点手段とを備えたことを特徴とする試験問題作成・採点サーバとして、コンピュータを機能させるためのものである。
【００４９】
また、本発明は、複数の解答者を対象として行われる試験で用いられる設問文および複数の解答選択肢からなる小問を少なくとも一つ含む試験問題の作成および採点を行う試験問題作成・採点方法であって、複数の解答者の各々が携帯して操作する複数の携帯型解答者端末装置を用意し、設問文・選択肢データ配信手段により、出題者が作成した設問文および複数の解答選択肢を配列してなる設問文・選択肢データを各携帯型解答者端末装置にそれぞれ同一データの状態で配信し、その後、各携帯型解答者端末装置のシャフル手段により、設問文・選択肢データ配信手段から受信した設問文・選択肢データに基づき、小問の中での各解答選択肢の配列および／または試験問題の中での各小問の配列を変更するために各解答選択肢および／または各小問を自動的に並べ替えるとともに、シャフル手段による配列変更前後の対応関係を定める変更前後対応関係情報を各携帯型解答者端末装置の変更前後対応関係情報記憶手段に記憶させ、続いて、各携帯型解答者端末装置の表示手段の画面上に試験問題を表示し、この画面表示された試験問題を参照させながら各解答者に試験問題に対する解答を入力させた後、解答受取手段により、各解答者による解答データおよび各変更前後対応関係情報記憶手段に記憶された変更前後対応関係情報を各携帯型解答者端末装置から受け取り、採点手段により、解答受取手段により受け取った各解答者による解答データおよび各変更前後対応関係情報に基づき、各解答者による解答を採点することを特徴とするものである。
【００５０】
ここで、「携帯型解答者端末装置」としては、例えば、携帯情報端末（ＰＤＡ：Ｐｅｒｓｏｎａｌ　Ｄｉｇｉｔａｌ　Ａｓｓｉｓｔａｎｔｓ）、携帯電話機（パーソナル・ハンディフォーン・システム（ＰＨＳ）も含む。）等を採用することができる。
【００５１】
また、「変更前後対応関係情報」とは、シャフル手段により配列を変更する前の状態と、配列を変更した後の状態との対応関係を定める情報であり、例えば、シャフル手段による処理に用いられた乱数でもよく、あるいはシャフル手段により配列変更された後の試験問題の正解そのもの等であってもよい。前者のように乱数とする場合には、変更前後対応関係情報は、各携帯型解答者端末装置の表示手段の画面上に表示してもよく、あるいは表示手段の画面上に表示することなく内部情報として取り扱ってもよい。後者のように正解とする場合には、表示手段の画面上に表示することなく内部情報として取り扱うことが必要となる。
【００５２】
このような本発明の試験問題作成・採点方法においては、設問文・選択肢データを各携帯型解答者端末装置に同一データの状態で配信し、その後、各携帯型解答者端末装置において、シャフル手段により、小問の中での各解答選択肢の配列および／または試験問題の中での各小問の配列を変更するための各解答選択肢および／または各小問の並べ替えを自動的に行った後（シャフル処理）、配列変更した後の状態の試験問題を画面表示する。
【００５３】
このため、各携帯型解答者端末装置の表示手段の画面上には、それぞれ異なる種類の試験問題が表示され、これにより各解答者に対し、それぞれ異なる種類の試験問題が出題されることになる。従って、解答者同士の座席が比較的近い状況で試験を行ったとしても、各解答者に出題された試験問題がそれぞれ異なっているため、つまり正解がそれぞれ異なるため、近くの座席にいる他の解答者の解答を盗み見るカンニング行為を防止することができ、限られたスペースで試験を行うことが可能となる。
【００５４】
また、解答受取手段により、各携帯型解答者端末装置から、試験問題に対する解答と合わせて変更前後対応関係情報も受け取るので、各携帯型解答者端末装置で表示された試験問題に対する正解を、変更前後対応関係情報により把握することが可能となる。このため、それぞれ異なる種類の試験問題を出題された各解答者による解答を、採点手段により採点することが可能となる。
【００５５】
さらに、前述した問題用紙およびＯＣＲ用紙を用いた発明、あるいは試験問題作成・採点サーバと解答者端末装置とをネットワークで接続した発明の場合と同様に、内容的には同じであるが、正解がそれぞれ異なる試験問題が各解答者に出題されるので、各解答者間の平等を確保しつつ、カンニング防止を実現することが可能となる。
【００５６】
また、前述した問題用紙およびＯＣＲ用紙を用いた発明、あるいは試験問題作成・採点サーバと解答者端末装置とをネットワークで接続した発明の場合と同様に、出題者は、設問文・選択肢データを一つ（一通り）だけ作成すればよいので、出題者の問題作成の手間が軽減され、効率的に試験を実施することが可能となる。
【００５７】
そして、前述した問題用紙およびＯＣＲ用紙を用いた発明、あるいは試験問題作成・採点サーバと解答者端末装置とをネットワークで接続した発明の場合と同様に、無駄になる可能性（出題されない可能性）のある設問文および複数の解答選択肢は無いので、この点でも効率的に試験を実施することが可能となり、これらにより前記目的が達成される。
【００５８】
また、以上に述べた本発明の試験問題作成・採点方法を実現するシステムとして、以下のような本発明の試験問題作成・採点システムが挙げられる。
【００５９】
すなわち、本発明は、複数の解答者を対象として行われる試験で用いられる設問文および複数の解答選択肢からなる小問を少なくとも一つ含む試験問題の作成および採点を行う試験問題作成・採点システムであって、複数の解答者の各々が携帯して操作する複数の携帯型解答者端末装置と、出題者が作成した設問文および複数の解答選択肢を配列してなる設問文・選択肢データを各携帯型解答者端末装置にそれぞれ同一データの状態で配信する設問文・選択肢データ配信手段と、各解答者による試験問題に対する解答を各携帯型解答者端末装置から受け取る解答受取手段と、この解答受取手段で受け取った各解答者による解答を採点する採点手段とを備え、各携帯型解答者端末装置は、設問文・選択肢データ配信手段から受信した設問文・選択肢データに基づき、小問の中での各解答選択肢の配列および／または試験問題の中での各小問の配列を変更するために各解答選択肢および／または各小問を自動的に並べ替えるシャフル手段と、このシャフル手段による配列変更前後の対応関係を定める変更前後対応関係情報を記憶する変更前後対応関係情報記憶手段と、シャフル手段により作成された試験問題を画面表示する表示手段と、試験問題に対する解答を入力する入力手段とを含んで構成され、解答受取手段は、各解答者による解答データを受け取るとともに、この解答データとともに送られてくる変更前後対応関係情報記憶手段に記憶された変更前後対応関係情報も受け取る構成とされ、採点手段は、解答受取手段により受け取った各解答データおよび各変更前後対応関係情報に基づき、各解答者による解答を採点する構成とされていることを特徴とするものである。
【００６０】
ここで、「設問文・選択肢データ配信手段」、「解答受取手段」、および「採点手段」は、一台のコンピュータに集中して設けられ、または接続されていてもよく、あるいは複数のコンピュータに分散して設けられ、または接続されていてもよい。
【００６１】
このような本発明の試験問題作成・採点システムにおいては、前述した本発明の試験問題作成・採点方法で得られる作用・効果がそのまま得られ、これにより前記目的が達成される。なお、以下では、これらの発明を「各携帯型解答者端末装置でシャフル処理を行う発明」という。
【００６２】
また、上述した試験問題作成・採点システム（各携帯型解答者端末装置でシャフル処理を行う発明）において、シャフル手段は、乱数を用いて各解答選択肢および／または各小問を自動的に並べ替える構成とされ、変更前後対応関係情報は、シャフル手段による処理に用いられた乱数であることが望ましい。
【００６３】
このように変更前後対応関係情報を乱数とした場合には、解答受取手段により、各解答者による解答データと合わせ、シャフル手段による処理に用いられた乱数を受け取ることになるので、採点を行うにあたって、この乱数を用いることにより、各携帯型解答者端末装置で表示された試験問題に対する正解を導くことが可能となる。
【００６４】
さらに、上述した試験問題作成・採点システム（各携帯型解答者端末装置でシャフル処理を行う発明）において、各携帯型解答者端末装置は、各解答者から提示される解答者識別情報を含むバーコードを読み取るバーコード読取手段を備えていることが望ましい。
【００６５】
このように各携帯型解答者端末装置にバーコード読取手段を設けた場合には、解答者識別情報（例えば、学生証に印刷されたバーコードに含まれる学籍番号等）を各携帯型解答者端末装置に容易に入力することができるので、解答者に手間をかけさせることなく、出欠確認を行うことが可能となる。
【００６６】
そして、本発明は、複数の解答者を対象として行われる試験で用いられる設問文および複数の解答選択肢からなる小問を少なくとも一つ含む試験問題の作成および採点を行う試験問題作成・採点システムを構成するために、複数の解答者の各々が携帯して操作する携帯型解答者端末装置であって、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるシャフル手段と、このシャフル手段による配列変更前後の対応関係を定める変更前後対応関係情報を記憶する変更前後対応関係情報記憶手段と、シャフル手段により作成された試験問題を画面表示する表示手段と、試験問題に対する解答を入力する入力手段とを備えたことを特徴とするものである。
【００６７】
また、本発明は、複数の解答者を対象として行われる試験で用いられる設問文および複数の解答選択肢からなる小問を少なくとも一つ含む試験問題の作成および採点を行う試験問題作成・採点システムを構成するために、複数の解答者の各々が携帯して操作する携帯型解答者端末装置に搭載する携帯型解答者端末装置搭載用プログラムであって、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるシャフル手段として、携帯型解答者端末装置を機能させるためのものである。
【００６８】
また、本発明は、複数の解答者を対象として行われる試験で用いられる設問文および複数の解答選択肢からなる小問を少なくとも一つ含む試験問題の作成および採点を行う試験問題作成・採点方法であって、各解答者が携帯して操作する少なくとも一つの携帯型解答者端末装置を用意し、シャフル手段により、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるとともに、問題・正解対応関係データ作成手段により、シャフル手段により作成された各解答選択肢の配列および／または各小問の配列の異なる複数種類の試験問題を識別するための問題種別識別情報とこれらの試験問題の正解との対応関係を定める問題・正解対応関係データを作成し、この問題・正解対応関係データを問題・正解対応関係データ記憶手段に記憶させ、その後、シャフル手段により作成された複数種類の試験問題の全種類を問題用紙に印刷するとともに、これらの試験問題についての問題種別識別情報も合わせて問題用紙に印刷し、続いて、各解答者が携帯している携帯型解答者端末装置の表示手段の画面上で、問題種別識別情報を表示することにより各解答者が解答すべき種類の試験問題を指定し、この指定した試験問題に対する解答を、問題用紙を参照している各解答者に入力させた後、解答受取手段により、各解答者による解答データおよび指定した試験問題についての問題種別識別情報を携帯型解答者端末装置から受け取り、採点手段により、解答受取手段により受け取った各解答者による解答データおよび問題種別識別情報、並びに問題・正解対応関係データ記憶手段に記憶された問題・正解対応関係データに基づき、各解答者による解答を採点することを特徴とするものである。
【００６９】
ここで、「各解答者が携帯して操作する少なくとも一つの携帯型解答者端末装置」とは、複数の解答者の各々が個別に携帯型解答者端末装置を持っていてもよく、一つの携帯型解答者端末装置を複数の解答者で回して使用してもよい趣旨である。従って、用意すべき携帯型解答者端末装置は、解答者一人につき一台でもよく、複数（例えば、２０人等）の解答者につき一台でもよい。
【００７０】
また、「問題種別識別情報」は、例えば、問題番号等である。
【００７１】
さらに、各解答者による「問題用紙」の参照形態は、全種類の試験問題を印刷した問題用紙を複数の解答者の全員に配布しておき、その中から各解答者が自分に対して指定された試験問題を探すようにしてもよく、全種類の試験問題を印刷した問題用紙を携帯型解答者端末装置とともに複数の解答者で回して使用し、その中から各解答者が自分に対して指定された試験問題を探すようにしてもよく、あるいは解答すべき試験問題を指定された各解答者が、自分の解答すべき試験問題を印刷した問題用紙を所定の場所に取りに行ってもよい。
【００７２】
このような本発明の試験問題作成・採点方法においては、シャフル手段により、小問の中での各解答選択肢の配列および／または試験問題の中での各小問の配列を変更するための各解答選択肢および／または各小問の並べ替えを自動的に行う（シャフル処理）。このため、各解答選択肢の配列および／または各小問の配列の異なる複数種類の試験問題が作成される。
【００７３】
そして、問題用紙に複数種類の試験問題の全種類を印刷しておき、携帯型解答者端末装置の画面上で問題種別識別情報を表示することにより各解答者が解答すべき種類の試験問題を指定するので、各解答者に対し、それぞれ異なる種類の試験問題が出題されることになる。従って、解答者同士の座席が比較的近い状況で試験を行ったとしても、各解答者に出題された試験問題がそれぞれ異なっているため、つまり正解がそれぞれ異なるため、近くの座席にいる他の解答者の解答を盗み見るカンニング行為を防止することができ、限られたスペースで試験を行うことが可能となる。
【００７４】
また、解答受取手段により、携帯型解答者端末装置から、試験問題に対する解答と合わせて問題種別識別情報も受け取るので、携帯型解答者端末装置で指定された試験問題に対する正解を、問題種別識別情報により把握することが可能となる。このため、それぞれ異なる種類の試験問題を出題された各解答者による解答を、採点手段により採点することが可能となる。
【００７５】
さらに、前述した問題用紙およびＯＣＲ用紙を用いた発明、試験問題作成・採点サーバと解答者端末装置とをネットワークで接続した発明、あるいは各携帯型解答者端末装置でシャフル処理を行う発明の場合と同様に、内容的には同じであるが、正解がそれぞれ異なる試験問題が各解答者に出題されるので、各解答者間の平等を確保しつつ、カンニング防止を実現することが可能となる。
【００７６】
また、前述した問題用紙およびＯＣＲ用紙を用いた発明、試験問題作成・採点サーバと解答者端末装置とをネットワークで接続した発明、あるいは各携帯型解答者端末装置でシャフル処理を行う発明の場合と同様に、出題者は、設問文・選択肢データを一つ（一通り）だけ作成すればよいので、出題者の問題作成の手間が軽減され、効率的に試験を実施することが可能となる。
【００７７】
そして、前述した問題用紙およびＯＣＲ用紙を用いた発明、試験問題作成・採点サーバと解答者端末装置とをネットワークで接続した発明、あるいは各携帯型解答者端末装置でシャフル処理を行う発明の場合と同様に、無駄になる可能性（出題されない可能性）のある設問文および複数の解答選択肢は無いので、この点でも効率的に試験を実施することが可能となり、これらにより前記目的が達成される。
【００７８】
また、以上に述べた本発明の試験問題作成・採点方法を実現するシステムとして、以下のような本発明の試験問題作成・採点システムが挙げられる。
【００７９】
すなわち、本発明は、複数の解答者を対象として行われる試験で用いられる設問文および複数の解答選択肢からなる小問を少なくとも一つ含む試験問題の作成および採点を行う試験問題作成・採点システムであって、各解答者が携帯して操作する少なくとも一つの携帯型解答者端末装置と、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるシャフル手段と、このシャフル手段により作成された各解答選択肢の配列および／または各小問の配列の異なる複数種類の試験問題を識別するための問題種別識別情報とこれらの試験問題の正解との対応関係を定める問題・正解対応関係データを作成する問題・正解対応関係データ作成手段と、この問題・正解対応関係データ作成手段により作成された問題・正解対応関係データを記憶する問題・正解対応関係データ記憶手段と、シャフル手段により作成された複数種類の試験問題の全種類とこれらの試験問題についての問題種別識別情報とを問題用紙に印刷する処理を行う印刷処理手段と、この印刷処理手段による指令に基づき問題用紙への印刷を行う印刷装置と、各解答者による解答データおよびこの解答データとともに送られてくる問題種別識別情報を携帯型解答者端末装置から受け取る解答受取手段と、この解答受取手段により受け取った各解答者による解答データおよび問題種別識別情報、並びに問題・正解対応関係データ記憶手段に記憶された問題・正解対応関係データに基づき、各解答者による解答を採点する採点手段とを備え、携帯型解答者端末装置は、情報を画面表示する表示手段と、この表示手段の画面上に問題種別識別情報を表示することにより各解答者が解答すべき種類の試験問題を指定する問題指定処理手段と、試験問題に対する解答を入力する入力手段とを含んで構成されていることを特徴とするものである。
【００８０】
ここで、「シャフル手段」、「問題・正解対応関係データ作成手段」、「印刷処理手段」、「印刷装置」、「解答受取手段」、および「採点手段」は、一台のコンピュータに集中して設けられ、または接続されていてもよく、あるいは複数のコンピュータに分散して設けられ、または接続されていてもよい。
【００８１】
このような本発明の試験問題作成・採点システムにおいては、前述した本発明の試験問題作成・採点方法で得られる作用・効果がそのまま得られ、これにより前記目的が達成される。なお、以下では、これらの発明を「問題用紙および携帯型解答者端末装置を用いる発明」という。
【００８２】
さらに、上述した試験問題作成・採点システム（問題用紙および携帯型解答者端末装置を用いる発明）において、携帯型解答者端末装置は、解答者から提示される解答者識別情報を含むバーコードを読み取るバーコード読取手段を備えていることが望ましい。
【００８３】
このように携帯型解答者端末装置にバーコード読取手段を設けた場合には、解答者識別情報（例えば、学生証に印刷されたバーコードに含まれる学籍番号等）を携帯型解答者端末装置に容易に入力することができるので、解答者に手間をかけさせることなく、出欠確認を行うことが可能となる。
【００８４】
また、本発明は、複数の解答者を対象として行われる試験で用いられる設問文および複数の解答選択肢からなる小問を少なくとも一つ含む試験問題の作成および採点を行う試験問題作成・採点システムとして、コンピュータを機能させるためのプログラムであって、出題者が作成した設問文および複数の解答選択肢を配列してなる設問文・選択肢データに基づき、小問の中での各解答選択肢の配列および／または試験問題の中での各小問の配列を変更するために各解答選択肢および／または各小問を自動的に並べ替えるシャフル手段と、このシャフル手段により作成された各解答選択肢の配列および／または各小問の配列の異なる複数種類の試験問題を識別するための問題種別識別情報とこれらの試験問題の正解との対応関係を定める問題・正解対応関係データを作成する問題・正解対応関係データ作成手段と、シャフル手段により作成された複数種類の試験問題の全種類とこれらの試験問題についての問題種別識別情報とを問題用紙に印刷する処理を行う印刷処理手段と、携帯型解答者端末装置の表示手段の画面上で指定された試験問題に対する各解答者による解答データおよび指定された試験問題についての問題種別識別情報を携帯型解答者端末装置から受け取る解答受取手段と、この解答受取手段により受け取った各解答者による解答データおよび問題種別識別情報、並びに問題・正解対応関係データに基づき、各解答者による解答を採点する採点手段とを備えたことを特徴とする試験問題作成・採点システムとして、コンピュータを機能させるためのものである。
【００８５】
なお、以上に述べたプログラム（携帯型解答者端末装置搭載用プログラムを含む。）またはその一部は、例えば、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、ハードディスク、ＲＯＭ、ＥＥＰＲＯＭ、フラッシュ・メモリ、ＲＡＭ等の記録媒体に記録して保存や流通等させることが可能であるとともに、例えば、ＬＡＮ、ＭＡＮ、ＷＡＮ、インターネット、イントラネット、エクストラネット等の有線ネットワーク、あるいは無線通信ネットワーク、さらにはこれらの組合せ等の伝送媒体を用いて伝送することが可能であり、また、搬送波に載せて搬送することも可能である。さらに、以上に述べたプログラムは、他のプログラムの一部分であってもよく、あるいは別個のプログラムと共に記録媒体に記録されていてもよい。
【００８６】
【発明の実施の形態】
以下に本発明の各実施形態を図面に基づいて説明する。
【００８７】
［第１実施形態］
図１には、本発明の第１実施形態の試験問題作成・採点システム１０の全体構成が示されている。また、図２には、システム１０による処理の流れがフローチャートで示され、図３には、システム１０による試験問題の作成過程が示され、図４には、システム１０で作成した試験問題に対する解答を記入するためのＯＣＲ用紙１２が示されている。
【００８８】
図１において、試験問題作成・採点システム１０は、出題者が操作する出題者用コンピュータ２０と、試験問題を印刷する印刷用コンピュータ３０と、試験問題に対する解答を採点する採点用コンピュータ４０とを含んで構成されている。
【００８９】
出題者用コンピュータ２０は、出題者（本実施形態では、一例として教員とする。）が設問文およびこの設問文に対する複数の解答選択肢のデータを作成する設問文・選択肢作成手段２１を備えている。この設問文・選択肢作成手段２１は、例えば、出題者が考えた設問文および選択肢をエクセルシート等に入力して配列する形式をとることにより、出題者による設問文・選択肢データの作成作業を支援するものである。従って、作成される設問文・選択肢データは、設問文および複数の解答選択肢を配列してなるデータであり、さらに、いずれの解答選択肢が正解なのかというデータ、図表データ等も含んでいる。また、作成される設問文・選択肢データは、小問一つ分（一つの設問文およびこれに対応する複数の解答選択肢）のみであってもよく、複数の小問の分を含んでいてもよい。
【００９０】
印刷用コンピュータ３０は、シャフル手段３１と、問題・正解対応関係データ作成手段３２と、印刷処理手段３３とを含んで構成されている。また、この印刷用コンピュータ３０には、印刷装置３４が接続されている。
【００９１】
シャフル手段３１は、出題者が作成した設問文・選択肢データに基づき、小問の中での各解答選択肢の配列を変更するために各解答選択肢を自動的に並べ替える処理（シャフル処理）を行うものである。このシャフル処理は、乱数表を用いて無作為に行われる擬似乱数処理である。なお、本実施形態では、小問の中での各解答選択肢の配列の変更のみを行うものとし、試験問題の中での各小問の配列の変更は行わないものとするが、本発明は、これに限定されるものではなく、試験問題の中での各小問の配列の変更を行ってもよい。
【００９２】
問題・正解対応関係データ作成手段３２は、シャフル手段３１により作成された各解答選択肢の配列の異なる複数種類の試験問題を識別するための問題種別識別情報とこれらの試験問題の正解との対応関係を定める問題・正解対応関係データを作成する処理（本実施形態では、正解表の形で作成する処理となる。）を行うものである。この問題・正解対応関係データ作成手段３２により作成された問題・正解対応関係データは、正解表ファイルとしてＦＤ等の記録媒体に保存してもよく、あるいは印刷用コンピュータ３０のハードディスク等に保存してもよく、これらのＦＤ等の記録媒体やハードディスク等は、いずれも本発明における問題・正解対応関係データ記憶手段として機能するものである。
【００９３】
印刷処理手段３３は、シャフル手段３１により作成された複数種類の試験問題のうちのいずれか一種類とこの試験問題についての問題種別識別情報とを各問題用紙１１に印刷する処理を行うものである。本第１実施形態では、問題種別識別情報として問題用紙番号を採用するが、これに限定されるものではない。従って、各問題用紙１１には、一種類の試験問題と、問題用紙番号とが印刷される。
【００９４】
印刷装置３４は、例えばプリンタ等であり、印刷処理手段３３による指令に基づき、各問題用紙１１への試験問題および問題用紙番号の印刷を行う。
【００９５】
採点用コンピュータ４０は、採点を含む各種処理を行う処理手段４１と、この処理手段４１に接続された学籍番号記憶手段４２、採点結果記憶手段４３、および出欠結果記憶手段４４とを含んで構成されている。また、採点用コンピュータ４０には、ＯＣＲ読取装置（ＯＣＲリーダ）４５が接続されている。
【００９６】
処理手段４１は、採点手段４１Ａと、出席者確認手段４１Ｂと、出欠結果集計手段４１Ｃと、採点結果集計手段４１Ｄと、代筆チェック手段４１Ｅとを含んで構成されている。
【００９７】
採点手段４１Ａは、ＯＣＲ読取装置４５により読み取った各解答データおよび各問題種別識別情報（問題用紙番号）、並びに問題・正解対応関係データ（正解表）に基づき、各解答者（本実施形態では、一例として学生とする。）による解答を採点する処理を行うものである。
【００９８】
出席者確認手段４１Ｂは、学籍番号記憶手段４２に記憶された全学生の学籍番号リストと、ＯＣＲ読取装置４５により読み取った学籍番号とを照合し、その照合結果に基づき、全学生の学籍番号リストに存在する学籍番号を記入した学生の解答データのみを採点対象とし、学籍番号リストに存在しない学籍番号を記入した学生の解答データについては、この時点で「出欠エラー」として採点対象から除く処理（在学生選択処理）を行う。
【００９９】
また、出席者確認手段４１Ｂは、上記の在学生選択処理を行った後、同じ学籍番号が二以上存在した場合にそれらの解答データを除去する処理（学籍番号重複除去処理）も行う。採点手段４１Ａによる正解表を用いての採点処理において学籍番号重複を起因とする不都合が生じないようにするためであり、また、試験運用において、学籍番号の重複は、欠席者を出席とするための「代返」の結果として生じる事例が多く報告されているので、これを排除する趣旨である。そして、以上の在学生選択処理および学籍番号重複除去処理を行った後の解答データが、採点手段４１Ａによる採点対象とされる。
【０１００】
さらに、出席者確認手段４１Ｂは、以上の在学生選択処理および学籍番号重複除去処理を行って得られた出欠結果に基づき、出席者リストを作成して印刷する処理も行う。
【０１０１】
出欠結果集計手段４１Ｃは、出欠結果記憶手段４４に記憶されたデータ（出欠結果ファイルとして保存されているデータ）に基づき、試験を複数回実施して得られた毎回の出欠結果を集計する処理を行うものである。
【０１０２】
採点結果集計手段４１Ｄは、採点結果記憶手段４３に記憶されたデータ（採点結果ファイルとして保存されているデータ）に基づき、試験を複数回実施して得られた毎回の採点結果を集計する処理を行うものである。
【０１０３】
代筆チェック手段４１Ｅは、代筆チェック作業時に、出欠結果データについて、ＩＤ番号に基づきデータを並べ替える処理を行うものである。ＩＤ番号は、各ＯＣＲ用紙１２に印刷された連続番号である（図４参照）。従って、例えば他の講義等で学生が余分に取り置いたＯＣＲ用紙を使用すると、ＩＤ番号が他に比べて突出した番号となるので、このＩＤ番号を確認することにより代筆チェックを行うことができる。
【０１０４】
学籍番号記憶手段４２は、全学生の学籍番号リストを記憶するものである。
【０１０５】
採点結果記憶手段４３は、毎回の試験の採点結果データ（例えば、エクセルデータ等）をそれぞれ採点結果ファイルの形で記憶するものである。
【０１０６】
出欠結果記憶手段４４は、毎回の試験の出欠結果データ（例えば、エクセルデータ等）をそれぞれ出欠結果ファイルの形で記憶するものである。
【０１０７】
ＯＣＲ読取装置４５は、各解答者が各ＯＣＲ用紙１２に記入した試験問題に対する解答および問題種別識別情報（問題用紙番号）を含む各種データを読み取る処理を行うものである。このＯＣＲ読取装置４５は、例えば、２００人程度の分のＯＣＲ読取処理を約３分で終了することができる迅速性に優れたものである。
【０１０８】
図４に示すように、各ＯＣＲ用紙１２には、ＩＤ番号を予め印刷しておくＩＤ番号印刷部１２Ａと、学年・クラス記入部１２Ｂと、氏名記入部１２Ｃと、科目名記入部１２Ｄと、メモ欄１２Ｅと、講義日付記入部１２Ｆと、学籍番号記入部１２Ｇと、科目コード記入部１２Ｈと、整理番号記入部１２Ｊと、座席番号記入部１２Ｋと、本第１実施形態において問題種別識別情報として用いられる問題用紙番号を記入する問題用紙番号記入部１２Ｌと、試験問題に対する解答（最大で３０題の小問に対する各解答）を記入する解答欄１２Ｍと、記述欄１２Ｎとが設けられている。なお、解答欄１２Ｍに記入できる解答の数、すなわち出題できる小問の数は、３０題に限定されるものではなく、ＯＣＲ用紙１２のサイズ、配置、デザインに応じて適宜決定すればよい。
【０１０９】
そして、出題者用コンピュータ２０の設問文・選択肢作成手段２１、印刷用コンピュータ３０のシャフル手段３１、問題・正解対応関係データ作成手段３２、印刷処理手段３３、および採点用コンピュータ４０の処理手段４１を構成する各手段４１Ａ〜４１Ｅは、各コンピュータ本体（パーソナル・コンピュータのみならず、その上位機種のものも含む。）の内部に設けられた中央演算処理装置（ＣＰＵ）、およびこのＣＰＵの動作手順を規定する一つまたは複数のプログラムにより実現される。
【０１１０】
また、採点用コンピュータ４０の学籍番号記憶手段４２、採点結果記憶手段４３、および出欠結果記憶手段４４は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【０１１１】
このような第１実施形態においては、以下のようにして試験問題作成・採点システム１０により試験問題の作成および採点が行われる。
【０１１２】
図２において、先ず、出題者（教員）は、例えば自分の研究室や自宅等に設置されている出題者用コンピュータ２０を操作し、設問文・選択肢作成手段２１により、自分の考えた設問文および解答選択肢を配列してなる設問文・選択肢データを、例えばエクセルシート等の形式で作成した後、作成した設問文・選択肢データ２２を設問文・選択肢ファイルとしてＦＤ等の記録媒体に記録保存する（ステップＳ１）。
【０１１３】
次に、出題者（教員）は、設問文・選択肢データを記録したＦＤ等の記録媒体を、例えば事務室等に設置されている印刷用コンピュータ３０の処まで持っていき、設問文・選択肢データを印刷用コンピュータ３０に読み込ませる（ステップＳ２）。なお、印刷用コンピュータ３０を操作する作業は、教員が自分で行ってもよく、例えば事務室の事務員等が行ってもよい。
【０１１４】
そして、印刷用コンピュータ３０では、シャフル手段３１により、読み込んだ設問文・選択肢データに基づき、シャフル用乱数表３１Ａを用いて無作為に解答選択肢の並べ替えを行い、一題の小問または複数題の各小問の中の解答選択肢の配列を変更する。また、これと同時に、問題・正解対応関係データ作成手段３２により、問題・正解対応関係データを正解表の形で作成する（ステップＳ３）。
【０１１５】
図３には、シャフル手段３１により複数種類の試験問題が自動的に作成される状況が示されている。図３の上部に示すように、設問文・選択肢データ２２は、出題者により作成された設問文および複数の解答選択肢が、例えばエクセルシート等に入力されて配列された状態となっている。○印の解答選択肢（図示の例では、一番上の解答選択肢「電離箱線量計」）が正解であり、×印の解答選択肢が不正解である。なお、図示の例では、一題の小問の中の解答選択肢の個数は、５つとされているが、これに限定されるものではなく、２〜４および６以上としてもよい。また、図示の例では、一題の小問の中の正解となる解答選択肢の個数は、一つとされているが、これに限定されるものではなく、２以上としてもよい。
【０１１６】
図３の中央部に示すように、シャフル手段３１によりシャフル処理されて作成された複数種類の試験問題を配列した問題配列表３５は、例えば、問題パターン「１」、問題パターン「２」、問題パターン「３」等の各種パターンの試験問題が配列された状態となっている。問題パターン「２」の場合には、正解となる解答選択肢「電離箱線量計」が、上から５番目に並べ替えられているので、正解は「５」となる。同様に、問題パターン「３」の場合には、正解は「３」となる。なお、小問が複数題ある場合には、例えば、問題パターン番号「４」に対して正解が「３，４，１，２，５，４，…」等のようになる。
【０１１７】
また、図３の右下部に示すように、問題・正解対応関係データ作成手段３２により作成された正解表３６は、問題用紙１１に印刷する問題用紙番号と、この問題用紙番号を付する問題用紙に印刷する試験問題の種別を示す問題パターン番号と、この問題パターン番号で示される種別の試験問題に対する正解とが、対応して配列されている。従って、問題用紙番号が判れば、試験問題の種別が判り、さらに正解が判るので、本第１実施形態では、この問題用紙番号を問題種別識別情報として用いている。なお、問題用紙１１に印刷するのは、問題用紙番号ではなく、問題パターン番号としてもよく、この場合には、問題パターン番号が問題種別識別情報として機能し、解答者によりＯＣＲ用紙１２に記入されることになる。
【０１１８】
続いて、印刷処理手段３３により、複数種類の試験問題を配列した問題配列表３５を基にして印刷装置３４に指令を出し、印刷装置３４により試験問題および問題用紙番号を、図３の左下部に示すように各問題用紙１１に印刷する（図２のステップＳ４）。この際、各問題用紙１１には、それぞれ異なる種類（問題パターン番号）の試験問題が印刷される。
【０１１９】
また、問題・正解対応関係データ作成手段３２により作成された正解表３６を、正解表ファイルとしてＦＤ等の記録媒体に記録保存する（ステップＳ５）。
【０１２０】
その後、教員は、問題用紙１１およびＯＣＲ用紙１２を講義に持ち込んで各解答者（学生）に配布した後（ステップＳ６）、試験を実施する（ステップＳ７）。この際、各学生は、自分に配布された問題用紙１１に印刷された試験問題に対する解答を、ＯＣＲ用紙１２の解答欄１２Ｍに記入するとともに、その問題用紙１１に印刷された問題用紙番号を、問題用紙番号記入部１２Ｌに記入する（図４参照）。また、講義日付、学籍番号、科目コードも講義日付記入部１２Ｆ、学籍番号記入部１２Ｇ、科目コード記入部１２Ｈにそれぞれ記入する。
【０１２１】
なお、座席番号の記入は必須ではないが、記入させるようにすれば、隣同士の座席についての解答の不自然な一致を検出できるので、システム１０に、カンニングや答え合わせ等の不正行為をしたか否かを判定する不正行為判定手段を設けることができる。また、整理番号は、試験の運用で指定することにより、科目コードに付加して使用してもよい。
【０１２２】
そして、試験終了後に、解答および問題用紙番号等が記入されたＯＣＲ用紙１２を各学生から回収する。
【０１２３】
次に、教員は、各学生から回収したＯＣＲ用紙１２を、例えば事務室等に設置されている採点用コンピュータ４０の処まで持っていく。そして、採点用コンピュータ４０に接続されたＯＣＲ読取装置４５により、各ＯＣＲ用紙１２にそれぞれ記入された解答、問題用紙番号、学籍番号、科目コードを含むデータを高速に読み取り、同時にこれらの読み取ったデータを採点用コンピュータ４０に取り込む（ステップＳ８）。この読取処理において、講義日付、科目コード、整理番号については、各ＯＣＲ用紙１２からそれぞれ読み取るが、処理に使用するのは、先頭の一枚のＯＣＲ用紙１２から読み取ったデータのみである。なお、採点用コンピュータ４０およびＯＣＲ読取装置４５の操作は、教員が自分で行ってもよく、事務室の事務員等が行ってもよい。
【０１２４】
一方、採点時には、教員は、印刷用コンピュータ３０の問題・正解対応関係データ作成手段３２により作成されてＦＤ等の記録媒体に記録保存された正解表ファイルを、採点用コンピュータ４０の処まで持っていく。そして、正解表ファイルに保存されている問題・正解対応関係データ（正解表）を、採点用コンピュータ４０に読み込む（ステップＳ９）。なお、この読込処理のための採点用コンピュータ４０の操作も、教員が自分で行ってもよく、事務室の事務員等が行ってもよい。
【０１２５】
採点用コンピュータ４０では、出席者確認手段４１Ｂにより、学籍番号記憶手段４２に記憶された全学生の学籍番号リスト４２Ａを用いて在学生選択処理を行った後（ステップＳ１０）、さらに学籍番号重複除去処理を行う（ステップＳ１１）。そして、これらの処理を経て、ＯＣＲ用紙１２から読み取った解答データの絞り込みが行われて採点対象となる出席者の解答データ４６が準備されるとともに、出席者リスト４７が作成されて表示または印刷され、また、出欠結果ファイルが作成されて出欠結果記憶手段４４に記憶され、さらに、全学生の学籍番号リスト４２Ａに無い学籍番号および学籍番号の重複に該当した場合の解答データを示す出欠エラーリストが作成されて表示または印刷される。
【０１２６】
また、採点用コンピュータ４０では、ＦＤ等の記録媒体から読み込んだ正解表について、コンピュータの内部カレンダ４８により決定された試験の実施年月日と、科目コードとを追加する処理を行い（ステップＳ１２）、これにより試験の実施年月日および科目コードを含んだ正解表３６Ａが作成される。
【０１２７】
最後に、採点手段４１Ａにより、出席者の解答データ４６および問題用紙番号と、正解表３６Ａとを照合し、採点を行う（ステップＳ１３）。この採点結果は、採点結果ファイル４９として採点結果記憶手段４３に記憶されるとともに、適宜表示または印刷され、また、ＦＤ等の記録媒体に記録保存されて出題者用コンピュータ２０の処まで持っていかれ、出題者用コンピュータ２０に読み込まれる。また、代筆チェック手段４１Ｅにより、代筆チェック作業を適宜行うことが好ましい。さらに、解答の数字が読みとれない等の場合には、採点処理時エラーリストが表示または印刷される。
【０１２８】
そして、以上に述べた処理を繰り返して試験を複数回実施した場合には、出欠結果集計手段４１Ｃにより毎回の出欠結果を集計し、また、採点結果集計手段４１Ｄにより毎回の採点結果を集計する。
【０１２９】
このような第１実施形態によれば、次のような効果がある。すなわち、試験問題作成・採点システム１０は、シャフル手段３１を備えているので、小問の中での各解答選択肢の配列を変更するための各解答選択肢の並べ替え処理を自動的に行うことができる。このため、各解答選択肢の配列の異なる複数種類の試験問題を容易に作成することができる。
【０１３０】
そして、試験問題作成・採点システム１０では、印刷装置３４により各問題用紙１１に複数種類の試験問題のうちのいずれか一種類を印刷し、印刷した各問題用紙１１を解答者（学生）に配布するので、各学生に対し、それぞれ異なる種類の試験問題を出題することができる。
【０１３１】
従って、学生同士の座席が比較的近い状況で試験を行ったとしても、各学生に出題された試験問題がそれぞれ異なっているため、つまり正解がそれぞれ異なるため、近くの座席にいる他の学生の解答を盗み見るカンニング行為を未然に防止することができ、学生の教育内容の理解度を正当に評価することができるうえ、学生の学習意欲の減退を防止することもできる。このため、隣の学生の解答を見ることができないような十分なスペースを確保できない教室等のように、限られたスペースでも効果的な試験を行うことができる。
【０１３２】
また、各問題用紙１１には、試験問題と合わせて問題種別識別情報（問題用紙番号）も印刷され（図３の左下部参照）、各学生は、試験問題に対する解答と合わせてこの問題用紙番号も各ＯＣＲ用紙１２に記入し（図４参照）、ＯＣＲ読取装置４５により、解答と合わせて問題用紙番号も読み取られるので、正解表３６Ａを参照することにより、各ＯＣＲ用紙１２に記入された解答が、いずれの種類の試験問題に対する解答なのかを問題用紙番号により把握することができ、その試験問題の正解も把握することができる。このため、それぞれ異なる種類の試験問題を出題された各学生による解答を、採点手段４１Ａにより採点することができる。
【０１３３】
さらに、前述した特許文献１や特許文献２に記載されたシステムの場合とは異なり、各学生にそれぞれ異なる種類の試験問題を出題するといっても、小問の中での各解答選択肢の配列が異なるだけであり、試験問題を全体的に見た場合に、解答すべき内容は、いずれの試験問題も同じであるため、各学生に不公平が生じることを防止することができる。つまり、内容的には同じであるが、正解がそれぞれ異なる試験問題を各学生に出題できるので、各学生間の平等を確保しつつ、カンニングの未然防止を図ることができる。
【０１３４】
また、前述した特許文献１や特許文献２に記載されたシステムの場合のように、内容の異なる複数の問題を作成し、その中から所定数の問題を任意に抽出して出題するのではなく、出題者（教員）は、設問文および複数の解答選択肢を配列してなる設問文・選択肢データを一つ（一通り）だけ作成すればよく、この一つの設問文・選択肢データに基づき、シャフル手段３１により、複数種類の試験問題を自動的に作成できる。このため、前述した特許文献１や特許文献２に記載されたシステムの場合に比べ、教員の問題作成の手間を軽減でき、効率的に試験を実施することができる。
【０１３５】
そして、教員により作成された設問文および複数の解答選択肢は、シャフル手段３１により配列が変更されるだけであり、それらの全てを各学生に対して出題する試験問題の構成要素として活かすことができる。このため、無駄になる可能性（出題されない可能性）のある設問文および複数の解答選択肢は無いので、この点でも効率的に試験を実施することができる。
【０１３６】
また、試験問題作成・採点システム１０は、出席者確認手段４１Ｂを備えているので、在学生選択処理および学籍番号重複除去処理を行うことができるため、各ＯＣＲ用紙１２から読み取った解答データを、採点対象として適切なデータに絞り込むことができる。
【０１３７】
さらに、試験問題作成・採点システム１０では、各ＯＣＲ用紙１２に連続番号であるＩＤ番号が印刷されているので、代筆チェック手段４１Ｅにより、このＩＤ番号を利用して学生の不正行為を容易に発見することができる。
【０１３８】
なお、試験問題作成・採点システム１０の機能の一部を利用し、次のような処理を行うこともできる。例えば、試験問題は、従来通り、学生全員に対して同じものを配布し、解答を各ＯＣＲ用紙１２に記入させ、ＯＣＲ読取装置４５による解答データの読取処理および採点処理について、システム１０の機能を利用するという処理を行うことができる。また、試験問題は配布せず、従って各ＯＣＲ用紙１２には、解答を記入させることなく、氏名や学籍番号等の出欠確認に必要な事項のみを記入させ、ＯＣＲ読取装置４５によるデータの読取処理および出欠確認処理について、システム１０の機能を利用するという処理を行うことができる。いずれの処理の場合も、システム１０のシャフル手段３１によるシャフル処理、およびこのシャフル処理で得られた複数種類の試験問題についての印刷装置３４による印刷処理は行わない。
【０１３９】
［第２実施形態］
図５には、本発明の第２実施形態の試験問題作成・採点システム２００の全体構成が示されている。また、図６には、システム２００による処理の流れがフローチャートで示されている。
【０１４０】
図５において、試験問題作成・採点システム２００は、出題者が操作する一つまたは複数の出題者端末装置２２０と、各解答者が操作する複数の解答者端末装置２３０と、これらの出題者端末装置２２０および解答者端末装置２３０とネットワーク２０１で接続されて試験問題の作成および採点に必要な処理を行う試験問題作成・採点サーバ２４０とを備えている。
【０１４１】
出題者端末装置２２０は、コンピュータにより構成され、前記第１実施形態の設問文・選択肢作成手段２１と同様な機能を有する設問文・選択肢作成手段２２１と、この設問文・選択肢作成手段２２１により作成した設問文・選択肢データをネットワーク２０１を介して試験問題作成・採点サーバ２４０に送信する設問文・選択肢データ送信手段２２２とを含んで構成されている。
【０１４２】
各解答者端末装置２３０は、コンピュータにより構成され、試験問題等を画面表示する表示手段２３１と、試験問題に対する解答等を入力する入力手段２３２とを含んで構成されている。表示手段２３１は、例えば、液晶ディスプレイやＣＲＴディスプレイ等であり、入力手段２３２は、例えば、マウスやキーボード等である。
【０１４３】
試験問題作成・採点サーバ２４０は、コンピュータにより構成され、問題作成および採点を含む各種処理を行う処理手段２４１と、この処理手段２４１に接続された問題・正解対応関係データ記憶手段２４２、学籍番号記憶手段２４３、採点結果記憶手段２４４、および出欠結果記憶手段２４５とを含んで構成されている。
【０１４４】
処理手段２４１は、設問文・選択肢データ受信手段２４１Ａと、シャフル手段２４１Ｂと、問題・正解対応関係データ作成手段２４１Ｃと、問題画面生成手段２４１Ｄと、問題画面送信手段２４１Ｅと、解答受信手段２４１Ｆと、採点手段２４１Ｇと、出席者確認手段２４１Ｈと、出欠結果集計手段２４１Ｊと、採点結果集計手段２４１Ｋと、代筆チェック手段２４１Ｌとを含んで構成されている。
【０１４５】
設問文・選択肢データ受信手段２４１Ａは、設問文・選択肢データ送信手段２２２により出題者端末装置２２０からネットワーク２０１を介して送られてきた設問文・選択肢データを受信する処理を行うものである。
【０１４６】
シャフル手段２４１Ｂ、問題・正解対応関係データ作成手段２４１Ｃ、出席者確認手段２４１Ｈと、出欠結果集計手段２４１Ｊと、採点結果集計手段２４１Ｋと、代筆チェック手段２４１Ｌは、前記第１実施形態のシャフル手段３１、問題・正解対応関係データ作成手段３２、出席者確認手段４１Ｂ、出欠結果集計手段４１Ｃ、採点結果集計手段４１Ｄ、代筆チェック手段４１Ｅとそれぞれ同様な機能を有するものである。
【０１４７】
問題画面生成手段２４１Ｄは、シャフル手段２４１Ｂにより作成された複数種類の試験問題の表示用画面を生成する処理を行うものである。
【０１４８】
問題画面送信手段２４１Ｅは、問題画面生成手段２４１Ｄにより生成された複数種類の試験問題の表示用画面のうちのいずれか一種類とこの試験問題についての問題種別識別情報（例えば、問題パターン番号、試験問題の表示用画面の画面番号等）とをネットワーク２０１を介して各解答者端末装置２３０に送信する処理を行うものである。なお、本第２実施形態における問題種別識別情報は、各解答者端末装置２３０で表示手段２３１に画面表示される必要はなく、問題画面に内部情報として付帯していればよい。従って、各解答者端末装置２３０で表示手段２３１に画面表示するのは、試験問題だけでよい。
【０１４９】
解答受信手段２４１Ｆは、各表示手段２３１に画面表示された各試験問題を参照しながら各解答者により各入力手段２３２を用いて入力された各試験問題に対する解答データおよびこの解答データとともに送られてくる問題種別識別情報を受信する処理を行うものである。
【０１５０】
採点手段２４１Ｇは、解答受信手段２４１Ｆにより受信した各解答データおよび各問題種別識別情報、並びに問題・正解対応関係データ記憶手段２４２に記憶された問題・正解対応関係データ（正解表）に基づき、各解答者による解答を採点する処理を行うものである。
【０１５１】
問題・正解対応関係データ記憶手段２４２は、問題・正解対応関係データ作成手段２４１Ｃにより作成された問題・正解対応関係データ（正解表）を記憶するものである。
【０１５２】
学籍番号記憶手段２４３、採点結果記憶手段２４４、出欠結果記憶手段２４５は、前記第１実施形態の学籍番号記憶手段４２、採点結果記憶手段４３、出欠結果記憶手段４４とそれぞれ同様な機能を有するものである。
【０１５３】
そして、出題者端末装置２２０の設問文・選択肢作成手段２２１、設問文・選択肢データ送信手段２２２、および試験問題作成・採点サーバ２４０の処理手段２４１を構成する各手段２４１Ａ〜２４１Ｌは、出題者端末装置２２０および試験問題作成・採点サーバ２４０を構成する各コンピュータ本体（パーソナル・コンピュータのみならず、その上位機種のものも含む。）の内部に設けられた中央演算処理装置（ＣＰＵ）、およびこのＣＰＵの動作手順を規定する一つまたは複数のプログラムにより実現される。
【０１５４】
また、試験問題作成・採点サーバ２４０の問題・正解対応関係データ記憶手段２４２、学籍番号記憶手段２４３、採点結果記憶手段２４４、および出欠結果記憶手段２４５は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【０１５５】
このような第２実施形態においては、以下のようにして試験問題作成・採点システム２００により試験問題の作成および採点が行われる。
【０１５６】
図６において、先ず、出題者は、例えば自分の研究室や自宅等に設置されている出題者端末装置２２０を操作し、設問文・選択肢作成手段２２１により、自分の考えた設問文および解答選択肢を配列してなる設問文・選択肢データを作成する（ステップＳ２０１）。この設問文・選択肢データの作成は、例えば、試験問題作成・採点サーバ２４０から所定の入力フォームをダウンロードして行うことができる。そして、作成した設問文・選択肢データを、設問文・選択肢データ送信手段２２２により試験問題作成・採点サーバ２４０に送信する（ステップＳ２０２）。なお、作成した設問文・選択肢データを、電子メール等で試験問題作成・採点サーバ２４０に送信し、サーバ２４０の管理者（事務員等）が、電子メール等で受信した設問文・選択肢データをサーバ２４０にアップロードするようにしてもよい。
【０１５７】
試験問題作成・採点サーバ２４０では、設問文・選択肢データ受信手段２４１Ａにより、出題者端末装置２２０から送られてきた設問文・選択肢データを受信した後（ステップＳ２０３）、シャフル手段２４１Ｂにより、受信した設問文・選択肢データに基づきシャフル処理を行って複数種類の試験問題を自動的に作成するとともに、問題・正解対応関係データ作成手段２４１Ｃにより、問題・正解対応関係データ（正解表）を作成し（ステップＳ２０４）、これを問題・正解対応関係データ記憶手段２４２に記憶しておく。
【０１５８】
次に、問題画面生成手段２４１Ｄにより、シャフル手段２４１Ｂにより作成した複数種類の試験問題の表示用画面（Ｗｅｂ画面）を自動生成し（ステップＳ２０５）、これを問題画面記憶手段（不図示）に記憶しておく。その後、各解答者端末装置２３０からの各解答者による要求に応じ、問題画面送信手段２４１Ｅにより、問題画面生成手段２４１Ｄにより生成した複数種類の試験問題の表示用画面のうちのいずれか一種類とこの試験問題についての問題種別識別情報とをネットワーク２０１を介して各解答者端末装置２３０に送信する（ステップＳ２０６）。
【０１５９】
各解答者端末装置２３０では、試験問題の表示用画面を受信すると、表示手段２３１の画面上に、試験問題の表示用画面が表示される（ステップＳ２０７）。各解答者は、この画面に表示された試験問題を参照しながら、入力手段２３２を操作して試験問題に対する解答や学籍番号等を入力する（ステップＳ２０８）。そして、解答入力後には、各解答者端末装置２３０から、解答データ等の入力情報および問題種別識別情報を試験問題作成・採点サーバ２４０に送信する（ステップＳ２０９）。
【０１６０】
試験問題作成・採点サーバ２４０では、解答受信手段２４１Ｆにより、各解答者端末装置２３０から送られてきた解答データ等の入力情報および問題種別識別情報を受信すると（ステップＳ２１０）、出席者確認手段２４１Ｈにより、学籍番号記憶手段２４３に記憶された全学生の学籍番号リストを用いて在学生選択処理を行い、さらに学籍番号重複除去処理を行った後、採点手段２４１Ｇにより、各解答データを採点する（ステップＳ２１１）。そして、採点結果データおよび出欠結果データは、採点結果記憶手段２４４および出欠結果記憶手段２４５にそれぞれ記憶保存される。
【０１６１】
その後、出題者端末装置２２０からの出題者による要求に応じ、試験問題作成・採点サーバ２４０から、採点結果データおよび出欠結果データの表示用画面（Ｗｅｂ画面）を出題者端末装置２２０に送信する（ステップＳ２１２）。
【０１６２】
出題者端末装置２２０では、試験問題作成・採点サーバ２４０から送られてきた採点結果データおよび出欠結果データの表示用画面を受信すると、これらの表示用画面が、表示手段の画面上に表示されるので（ステップＳ２１３）、これを適宜印刷する。また、出題者は、出題者端末装置２２０を操作し、代筆チェック手段２４１Ｌにより、代筆チェック作業を適宜行うことが好ましい。
【０１６３】
そして、以上に述べた処理が繰り返されて試験が複数回実施された場合には、出欠結果集計手段２４１Ｊにより毎回の出欠結果の集計が行われ、また、採点結果集計手段２４１Ｋにより毎回の採点結果の集計が行われる。
【０１６４】
このような第２実施形態によれば、前記第１実施形態の場合と同様に、シャフル処理により各学生に対してそれぞれ異なる種類の試験問題を出題することができるという効果、それに伴うカンニング防止効果、学生の教育内容の理解度を正当に評価することができるという効果、学生の学習意欲の減退防止効果、限られたスペースでの試験の実効性の確保効果、各学生間に生じる不公平の防止効果、出題者の問題作成の手間の軽減効果、問題作成の無駄防止効果、それに伴う試験の効率向上効果、在学生選択処理および学籍番号重複除去処理による採点対象の絞り込み適正化効果、代筆チェックによる学生の不正行為の発見の容易化効果を得ることができる。
【０１６５】
［第３実施形態］
図７には、本発明の第３実施形態の試験問題作成・採点システム３００の全体構成が示されている。また、図８には、システム３００による処理の流れがフローチャートで示されている。
【０１６６】
図７において、試験問題作成・採点システム３００は、出題者（本実施形態では、一例として教員とする。）が操作する一つまたは複数の出題者用コンピュータ３２０と、複数の解答者（本実施形態では、一例として学生とする。）の各々が携帯して操作する複数の携帯型解答者端末装置３３０と、各解答者による試験問題に対する解答を各携帯型解答者端末装置３３０から受け取る解答受取手段３５０と、試験問題に対する解答を採点する採点用コンピュータ３６０とを含んで構成されている。
【０１６７】
出題者用コンピュータ３２０は、前記第１実施形態の設問文・選択肢作成手段２１と同様な機能を有する設問文・選択肢作成手段３２１と、この設問文・選択肢作成手段３２１により作成された設問文・選択肢データを各携帯型解答者端末装置３３０にそれぞれ同一データの状態で配信する設問文・選択肢データ配信手段３２２とを備えている。また、出題者用コンピュータ３２０には、試験を実施する空間（本実施形態では、一例として教室とする。）に臨んで設置されて設問文・選択肢データ配信手段３２２から発信されたデータを赤外線で空間内に向けて送信する赤外線ポート３２３が接続されている。この出題者用コンピュータ３２０は、例えば、ノート型等の携帯可能なコンピュータであることが好ましい。なお、赤外線ポート３２３は、教室での試験実施時（設問文・選択肢データ配信手段３２２によるデータ配信時）に出題者用コンピュータ３２０に接続されていればよく、設問文・選択肢作成手段３２１による問題作成時には必ずしも接続されている必要はない。
【０１６８】
各携帯型解答者端末装置３３０は、本実施形態ではＰＤＡにより構成され、シャフル処理を含む各種処理を行う処理手段３３１と、シャフル処理により作成された試験問題等を画面表示する表示手段３３２と、試験問題に対する解答等を入力する入力手段３３３と、赤外線ポート３２３から送られてくる赤外線データを読み取る赤外線読取手段３３４と、各解答者から提示される解答者識別情報（例えば、学生証に記載されている学籍番号等）を含むバーコードを読み取るバーコード読取手段３３５と、処理手段３３１に接続された変更前後対応関係情報記憶手段３３６、解答データ記憶手段３３７、および解答者識別情報記憶手段３３８とを含んで構成されている。
【０１６９】
処理手段３３１は、設問文・選択肢データ受信手段３３１Ａと、シャフル手段３３１Ｂと、問題表示処理手段３３１Ｃと、解答入力受付手段３３１Ｄと、バーコード情報処理手段３３１Ｅとを含んで構成されている。
【０１７０】
設問文・選択肢データ受信手段３３１Ａは、赤外線読取手段３３４で読み取った赤外線データの処理を行うものである。
【０１７１】
シャフル手段３３１Ｂは、設問文・選択肢データ配信手段３２２から配信されて設問文・選択肢データ受信手段３３１Ａにより受信した設問文・選択肢データに基づき、小問の中での各解答選択肢の配列を変更するために各解答選択肢を自動的に並べ替える処理（シャフル処理）を行うものである。このシャフル処理は、前記第１実施形態のシャフル手段３１によるシャフル処理と同様に、乱数を用いて無作為に行われる擬似乱数処理である。但し、本第３実施形態のシャフル手段３３１Ｂ（各携帯型解答者端末装置３３０における個々のシャフル手段３３１Ｂ）により作成される試験問題の種類は、前記第１実施形態の場合とは異なり、一台の携帯型解答者端末装置３３０につき一種類のみである。そして、このシャフル手段３３１Ｂによるシャフル処理が、複数の携帯型解答者端末装置３３０の全てにおいて個々に行われることで、結果的に、前記第１実施形態の場合と同様に、複数種類の試験問題が作成される。なお、本第３実施形態では、前記第１実施形態の場合と同様に、小問の中での各解答選択肢の配列の変更のみを行うものとし、試験問題の中での各小問の配列の変更は行わないものとするが、本発明は、これに限定されるものではなく、試験問題の中での各小問の配列の変更を行ってもよい。
【０１７２】
問題表示処理手段３３１Ｃは、シャフル手段３３１Ｂにより作成された試験問題を表示手段３３２の画面上に表示する処理を行うものである。
【０１７３】
解答入力受付手段３３１Ｄは、解答者による入力手段３３３を用いた解答入力を受け付ける処理を行うものである。
【０１７４】
バーコード情報処理手段３３１Ｅは、バーコード読取手段３３５で読み取ったデータの処理を行うものである。
【０１７５】
表示手段３３２は、例えば液晶画面等であり、入力手段３３３は、例えば、各種キー等である。
【０１７６】
変更前後対応関係情報記憶手段３３６は、シャフル手段３３１Ｂによる配列変更の前後におけるデータの状態の対応関係を定める変更前後対応関係情報を記憶するものである。本第３実施形態における変更前後対応関係情報は、シャフル手段３３１Ｂによる処理に用いられた乱数である。
【０１７７】
解答データ記憶手段３３７は、解答入力受付手段３３１Ｄで受け付けた解答者の入力した解答データを記憶するものである。
【０１７８】
解答者識別情報記憶手段３３８は、バーコード読取手段３３５で読み取り、バーコード情報処理手段３３１Ｅで処理されて得られた解答者識別情報（例えば、学籍番号等）を記憶するものである。
【０１７９】
解答受取手段３５０は、各携帯型解答者端末装置３３０から、各解答者による解答データを受け取るとともに、この解答データとともに送られてくる変更前後対応関係情報記憶手段３３６に記憶された変更前後対応関係情報（シャフル処理に用いられた乱数）も合わせて受け取る処理を行うものである。
【０１８０】
解答受取手段３５０は、本実施形態ではネットワーク対応コンジットにより構成され、ホストコンピュータ３５１と、このホストコンピュータ３５１に接続された複数のデータ受渡用の端末３５２とを備えて構成されている。ホストコンピュータ３５１は、各携帯型解答者端末装置３３０から受け取った各解答者による解答データおよび変更前後対応関係情報（乱数）に基づき解答ファイルおよび正解表をそれぞれ作成する解答ファイル作成手段３５１Ａおよび正解表作成手段３５１Ｂを備えている。また、各端末３５２は、教室内に設置されて各携帯型解答者端末装置３３０を接続してデータを受け渡す装置であり、高速でデータ（例えば、ＰＤＡのＰａｌｍデータ等）をホストコンピュータ３５１に取り込むことができるものである。
【０１８１】
この解答受取手段３５０として用いられるネットワーク対応コンジットは、例えば、高速型の場合には、一人分のデータを１０秒程度で取り込むことができる。従って、例えば５分程度で解答受取処理を全て終了させる場合には、２０人に一台程度の端末３５２を用意しておくことが好ましい。
【０１８２】
採点用コンピュータ３６０は、採点を含む各種処理を行う処理手段３６１と、この処理手段３６１に接続された学籍番号記憶手段３６２、採点結果記憶手段３６３、および出欠結果記憶手段３６４とを含んで構成されている。
【０１８３】
処理手段３６１は、採点手段３６１Ａと、出席者確認手段３６１Ｂと、出欠結果集計手段３６１Ｃと、採点結果集計手段３６１Ｄと、代筆チェック手段３６１Ｅとを含んで構成されている。
【０１８４】
採点手段３６１Ａは、解答ファイル作成手段３５１Ａにより作成された解答ファイルおよび正解表作成手段３５１Ｂにより作成された正解表に基づき、すなわち解答受取手段３５０により受け取った各解答データおよび各変更前後対応関係情報（乱数）に基づき、各解答者による解答を採点する処理を行うものである。
【０１８５】
出席者確認手段３６１Ｂ、出欠結果集計手段３６１Ｃ、採点結果集計手段３６１Ｄ、代筆チェック手段３６１Ｅは、前記第１実施形態の出席者確認手段４１Ｂ、出欠結果集計手段４１Ｃ、採点結果集計手段４１Ｄ、代筆チェック手段４１Ｅとそれぞれ同様な機能を有するものである。
【０１８６】
学籍番号記憶手段３６２、採点結果記憶手段３６３、出欠結果記憶手段３６４は、前記第１実施形態の学籍番号記憶手段４２、採点結果記憶手段４３、出欠結果記憶手段４４とそれぞれ同様な機能を有するものである。
【０１８７】
そして、出題者用コンピュータ３２０の設問文・選択肢作成手段３２１、設問文・選択肢データ配信手段３２２、解答受取手段３５０のホストコンピュータ３５１の解答ファイル作成手段３５１Ａ、正解表作成手段３５１Ｂ、および採点用コンピュータ３６０の処理手段３６１を構成する各手段３６１Ａ〜３６１Ｅは、各コンピュータ本体（パーソナル・コンピュータのみならず、その上位機種のものも含む。）の内部に設けられた中央演算処理装置（ＣＰＵ）、およびこのＣＰＵの動作手順を規定する一つまたは複数のプログラムにより実現される。
【０１８８】
また、各携帯型解答者端末装置３３０の処理手段３３１を構成する各手段３３１Ａ〜３３１Ｅは、ＰＤＡ本体の内部に設けられた中央演算処理装置（ＣＰＵ）、およびこのＣＰＵの動作手順を規定する一つまたは複数のプログラムにより実現される。
【０１８９】
さらに、採点用コンピュータ３６０の学籍番号記憶手段３６２、採点結果記憶手段３６３、および出欠結果記憶手段３６４は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【０１９０】
また、各携帯型解答者端末装置３３０の変更前後対応関係情報記憶手段３３６、解答データ記憶手段３３７、および解答者識別情報記憶手段３３８は、ＰＤＡに内蔵されたＲＡＭやＥＥＰＲＯＭ等により実現される。
【０１９１】
このような第３実施形態においては、以下のようにして試験問題作成・採点システム３００により試験問題の作成および採点が行われる。
【０１９２】
図８において、先ず、出題者（教員）は、例えば自分の研究室や自宅等で出題者用コンピュータ３２０を操作し、設問文・選択肢作成手段３２１により、自分の考えた設問文および解答選択肢を配列してなる設問文・選択肢データを、例えばエクセルシート等の形式で作成する（ステップＳ３０１）。
【０１９３】
続いて、教員は、作成した設問文・選択肢データを記憶保存している出題者用コンピュータ３２０を、試験を実施する教室まで持ち運び、教室に設置された赤外線ポート３２３に出題者用コンピュータ３２０を接続する。また、教員は、事務室等から持ってきた各携帯型解答者端末装置３３０を、教室にいる学生全員に対し、一人一台ずつ配布する（ステップＳ３０２）。
【０１９４】
学生は、配布された携帯型解答者端末装置３３０を操作し、バーコード読取手段３３５により、自分の学生証に付されているバーコードを読み取る（ステップＳ３０３）。読み取られたバーコード情報は、バーコード情報処理手段３３１Ｅにより処理され、これによりバーコードに含まれる解答者識別情報である学籍番号が把握される。また、把握した学籍番号を、解答者識別情報記憶手段３３８に記憶しておく。
【０１９５】
次に、教員は、出題者用コンピュータ３２０を操作し、設問文・選択肢データ配信手段３２２により、自分が作成した設問文・選択肢データを赤外線ポート３２３から赤外線通信により各携帯型解答者端末装置３３０に配信する（ステップＳ３０４）。この際、各携帯型解答者端末装置３３０に配信される設問文・選択肢データは、全て同一データであり、それぞれ異なるデータを配信するわけではない。
【０１９６】
一方、教室内にいる学生は、自分に配布された携帯型解答者端末装置３３０の赤外線読取手段３３４を赤外線ポート３２３の方に向け、赤外線ポート３２３から送られてくる赤外線データを読み取る（ステップＳ３０５）。読み取られた赤外線データは、設問文・選択肢データ受信手段３３１Ａにより処理され、これにより設問文・選択肢データが把握される。
【０１９７】
そして、携帯型解答者端末装置３３０では、シャフル手段３３１Ｂにより、読み取った設問文・選択肢データに基づき、乱数を用いて無作為に解答選択肢の並べ替えを行い、一題の小問または複数題の各小問の中の解答選択肢の配列を変更する（ステップＳ３０６）。乱数を発生させる際には、例えば、日付や各携帯型解答者端末装置３３０の番号（ＰＤＡのＩＤ）等を基数として使うことにより、個人毎に異なる乱数を得ることができる。また、このシャフル処理の際に用いた乱数を、変更前後対応関係情報記憶手段３３６に記憶しておく。
【０１９８】
続いて、問題表示処理手段３３１Ｃにより、シャフル手段３３１Ｂにより作成された試験問題を表示手段３３２の画面上に表示する（ステップＳ３０７）。そして、学生は、この画面上に表示された試験問題を参照しながら、入力手段３３３を用いて解答を入力するので、解答入力受付手段３３１Ｄにより、この解答入力を受け付ける（ステップＳ３０８）。また、学生により入力された解答データを、解答データ記憶手段３３７に記憶しておく。なお、シャフル処理の際に用いた乱数は、内部定数として取り扱い、表示手段３３２の画面上には表示しない。
【０１９９】
その後、解答入力を終了した学生は、解答受取手段３５０のいずれかの端末３５２の前に並び、自分の順番が来た時に、自分が解答を入力した携帯型解答者端末装置３３０を、その端末３５２に接続する。そして、解答受取手段３５０は、接続された携帯型解答者端末装置３３０から解答データを受け取る（ステップＳ３０９）。また、解答データとともに、変更前後対応関係情報（シャフル処理で用いた乱数）や解答者識別情報（学籍番号）も受け取る。
【０２００】
さらに、解答受取手段３５０では、解答ファイル作成手段３５１Ａおよび正解表作成手段３５１Ｂにより、各携帯型解答者端末装置３３０から受け取ったデータに基づき、解答ファイル３５３および正解表３５４をそれぞれ作成する（ステップＳ３１０）。これらの解答ファイル３５３および正解表３５４の作成の際には、各携帯型解答者端末装置３３０においてその乱数を用いてシャフル手段３３１Ｂにより行われたシャフル処理と同じ処理をホストコンピュータ３５１において行うことにより、その乱数と、その乱数を用いてシャフル処理により作成されたはずの試験問題（各携帯型解答者端末装置３３０の表示手段３３２の画面上に実際に表示された試験問題）の種別（問題パターン番号）と、その試験問題の正解との関係を把握することができる。
【０２０１】
それから、解答ファイル作成手段３５１Ａにより作成された解答ファイル３５３に保存されている解答データを採点用コンピュータ３６０に読み込むとともに（ステップＳ３１１）、正解表作成手段３５１Ｂにより作成された正解表３５４を採点用コンピュータ３６０に読み込む（ステップＳ３１２）。
【０２０２】
続いて、採点用コンピュータ３６０では、出席者確認手段３６１Ｂにより、学籍番号記憶手段３６２に記憶された全学生の学籍番号リスト３６２Ａを用いて在学生選択処理を行った後（ステップＳ３１３）、さらに学籍番号重複除去処理を行う（ステップＳ３１４）。そして、これらの処理を経て、各携帯型解答者端末装置３３０から受け取った解答データの絞り込みが行われて採点対象となる出席者の解答データ３６５が準備されるとともに、出席者リスト３６６が作成されて表示または印刷され、また、出欠結果ファイルが作成されて出欠結果記憶手段３６４に記憶され、さらに、全学生の学籍番号リスト３６２Ａに無い学籍番号および学籍番号の重複に該当した場合の解答データを示す出欠エラーリストが作成されて表示または印刷される。
【０２０３】
また、採点用コンピュータ３６０では、正解表作成手段３５１Ｂにより作成された正解表３５４について、コンピュータの内部カレンダ３６７により決定された試験の実施年月日と、科目コードとを追加する処理を行い（ステップＳ３１５）、これにより試験の実施年月日および科目コードを含んだ正解表３５４Ａが作成される。
【０２０４】
最後に、採点手段３６１Ａにより、出席者の解答データ３６５および正解表３５４Ａに基づき、採点を行う（ステップＳ３１６）。この採点結果は、採点結果ファイル３６８として採点結果記憶手段３６３に記憶されるとともに、適宜表示または印刷され、また、ＦＤ等の記録媒体に記録保存されて出題者用コンピュータ３２０の処まで持っていかれ、出題者用コンピュータ３２０に読み込まれる。また、代筆チェック手段３６１Ｅにより、代筆チェック作業を適宜行うことが好ましい。さらに、解答の数字が読みとれない等の場合には、採点処理時エラーリストが表示または印刷される。
【０２０５】
そして、以上に述べた処理を繰り返して試験を複数回実施した場合には、出欠結果集計手段３６１Ｃにより毎回の出欠結果を集計し、また、採点結果集計手段３６１Ｄにより毎回の採点結果を集計する。
【０２０６】
このような第３実施形態によれば、前記第１実施形態の場合と同様に、シャフル処理により各学生に対してそれぞれ異なる種類の試験問題を出題することができるという効果、それに伴うカンニング防止効果、学生の教育内容の理解度を正当に評価することができるという効果、学生の学習意欲の減退防止効果、限られたスペースでの試験の実効性の確保効果、各学生間に生じる不公平の防止効果、出題者の問題作成の手間の軽減効果、問題作成の無駄防止効果、それに伴う試験の効率向上効果、在学生選択処理および学籍番号重複除去処理による採点対象の絞り込み適正化効果、代筆チェックによる学生の不正行為の発見の容易化効果を得ることができる。
【０２０７】
また、設問文・選択肢データ配信手段３２２により、赤外線ポート３２３から赤外線通信により各携帯型解答者端末装置３３０にデータを配信する際には、配信データは、全て同一データ（シャフル処理前の設問文・選択肢データ）とされているので、シャフル処理後のそれぞれ内容の異なるデータ（複数種類の試験問題のデータ）を個別に送信する場合に比べ、簡易な処理で問題を配信することができる。さらに、配信データは、問題自体のデータ（長い文章のデータ）であるため、コンジットを使って各携帯型解答者端末装置３３０に送信するには長時間を要するのに対し、本第３実施形態のシステム３００では、赤外線ポート３２３からの赤外線通信による配信であるため、学生は、講義の説明を聞きながら、各携帯型解答者端末装置３３０を机の上に置いておくだけで、試験問題のデータを受信することができるので、少々時間がかかっても不都合を生じることはないという効果がある。
【０２０８】
一方、解答受取手段３５０により、各携帯型解答者端末装置３３０からデータを受け取る際には、各携帯型解答者端末装置３３０から個別にそれぞれの解答データを受け取るようになっているが、この際の受取データは、問題自体のデータとは異なり、比較的容量の少ないデータ（幾つかの整数のデータ）であるため、たとえ各携帯型解答者端末装置３３０から個別にデータを受け取るにしても、処理時間はそれ程長くはならないので、短時間で解答受取処理を終了させることができる。なぜなら、各携帯型解答者端末装置３３０に配信した設問文・選択肢データあるいはそれをシャフル処理した試験問題のデータは、解答受取手段３５０（出題者側）に戻してもらう必要はないからである。さらに、教員が試験問題を学生に隠すことを望む場合には、各携帯型解答者端末装置３３０を解答受取手段３５０の端末３５２に接続したときに、各携帯型解答者端末装置３３０に記憶されている試験問題のデータを消去してしまう命令を用意しておいてもよい。
【０２０９】
なお、赤外線ポート３２３からは、設問文・選択肢データを配信するだけではなく、例えば、講義に使用するテキスト等を配信するようにしてもよい。
【０２１０】
［第４実施形態］
図９には、本発明の第４実施形態の試験問題作成・採点システム４００の全体構成が示されている。また、図１０には、システム４００による処理の流れがフローチャートで示されている。
【０２１１】
図９において、試験問題作成・採点システム４００は、出題者が操作する出題者用コンピュータ４２０と、試験問題を印刷する印刷用コンピュータ４３０と、各解答者が携帯して操作する少なくとも一つの携帯型解答者端末装置４４０と、各解答者による解答データおよびこの解答データとともに送られてくる問題種別識別情報（本実施形態では、一例として問題番号とする。）を携帯型解答者端末装置４４０から受け取る解答受取手段４５０と、試験問題に対する解答を採点する採点用コンピュータ４６０とを含んで構成されている。
【０２１２】
出題者用コンピュータ４２０は、前記第１実施形態の設問文・選択肢作成手段２１と同様な機能を有する設問文・選択肢作成手段４２１を備えている。
【０２１３】
印刷用コンピュータ４３０は、シャフル手段４３１と、問題・正解対応関係データ作成手段４３２と、印刷処理手段４３３とを含んで構成されている。また、この印刷用コンピュータ４３０には、印刷装置４３４が接続されている。これらのシャフル手段４３１、問題・正解対応関係データ作成手段４３２、印刷処理手段４３３、印刷装置４３４は、前記第１実施形態のシャフル手段３１、問題・正解対応関係データ作成手段３２、印刷処理手段３３、印刷装置３４とそれぞれ同様な機能を有している。
【０２１４】
但し、前記第１実施形態では、印刷処理手段３３による指令に基づき印刷装置３４により各問題用紙１１に印刷される事項は、一枚または一部の問題用紙１１（一人の学生に配布する分の問題用紙１１）につき、一種類の試験問題およびこの一種類の試験問題を識別するための問題種別識別情報（問題用紙番号）であったが（図３参照）、本第４実施形態では、印刷処理手段４３３による指令に基づき印刷装置４３４により問題用紙４１１に印刷される事項は、一枚または一部の問題用紙４１１（一人の学生に配布する分の問題用紙４１１）につき、全種類の試験問題およびこれらの全種類の試験問題をそれぞれ識別するための問題種別識別情報（各試験問題に対応して付された問題番号）である。なお、このようにして全種類の試験問題およびそれらに対応する問題番号を印刷した一枚または一部の問題用紙４１１は、学生全員の分を印刷して用意してもよく、あるいは一部の学生の分だけ印刷して用意し、携帯型解答者端末装置４４０とともに学生間で回して使用するようにしてもよい。
【０２１５】
また、本第４実施形態の問題・正解対応関係データ作成手段４３２により作成される正解表は、前記第１実施形態の場合の正解表３６（図３参照）とは異なり、問題用紙番号と問題パターン番号と正解とを対応させるのではなく、問題番号と問題パターン番号と正解とを対応させている。なお、「問題用紙番号」と「問題番号」とは、複数種類の試験問題を一種類ずつ別々の問題用紙（一枚でもよく、複数枚に渡ってもよい。）に印刷するか、全種類を同じ問題用紙（一枚でもよく、複数枚に渡ってもよい。）に印刷するかの違いによるものであり、実質的な差異はない。
【０２１６】
携帯型解答者端末装置４４０は、本実施形態ではＰＤＡにより構成され、各解答者が解答すべき種類の試験問題を指定する問題指定処理を含む各種処理を行う処理手段４４１と、この処理手段４４１に接続された指定問題記憶手段４４２、解答データ記憶手段４４３、および解答者識別情報記憶手段４４４と、情報を画面表示する表示手段４４５と、試験問題に対する解答等を入力する入力手段４４６と、各解答者から提示される解答者識別情報（例えば、学生証に記載されている学籍番号等）を含むバーコードを読み取るバーコード読取手段４４７とを含んで構成されている。
【０２１７】
処理手段４４１は、問題指定処理手段４４１Ａと、バーコード情報処理手段４４１Ｂとを含んで構成されている。
【０２１８】
問題指定処理手段４４１Ａは、表示手段４４５の画面上に問題種別識別情報である問題番号を表示することにより、各解答者が解答すべき種類の試験問題を指定する処理を行うものである。
【０２１９】
バーコード情報処理手段４４１Ｂは、前記第３実施形態のバーコード情報処理手段３３１Ｅと同様に、バーコード読取手段４４７で読み取ったデータの処理を行うものである。
【０２２０】
指定問題記憶手段４４２は、問題指定処理手段４４１Ａにより指定した試験問題の種別（問題番号）を記憶するものである。
【０２２１】
解答データ記憶手段４４３は、入力手段４４６を用いて解答者により入力された解答データを記憶するものである。
【０２２２】
解答者識別情報記憶手段４４４は、バーコード読取手段４４７で読み取り、バーコード情報処理手段４４１Ｂで処理されて得られた解答者識別情報（例えば、学籍番号等）を記憶するものである。
【０２２３】
解答受取手段４５０は、前記第３実施形態の場合と同様にネットワーク対応コンジットにより構成され、前記第３実施形態の解答受取手段３５０と同様に、携帯型解答者端末装置４４０から、各解答者による解答データを受け取る処理を行うものである。但し、前記第３実施形態の解答受取手段３５０とは異なり、携帯型解答者端末装置４４０から解答データとともに受け取る情報は、変更前後対応関係情報（シャフル手段３３１Ｂによるシャフル処理に用いられた乱数）ではなく、問題種別識別情報（問題指定処理手段４４１Ａにより指定した試験問題の問題番号）である。
【０２２４】
解答受取手段４５０は、前記第３実施形態の場合と同様に、ホストコンピュータと、このホストコンピュータに接続された複数のデータ受渡用の端末とを備えて構成され、ホストコンピュータは、携帯型解答者端末装置４４０から受け取った各解答者による解答データおよび問題種別識別情報（問題番号）に基づき解答ファイルを作成する解答ファイル作成手段を備えている。
【０２２５】
採点用コンピュータ４６０は、採点を含む各種処理を行う処理手段４６１と、この処理手段４６１に接続された学籍番号記憶手段４６２、採点結果記憶手段４６３、および出欠結果記憶手段４６４とを含んで構成されている。
【０２２６】
処理手段４６１は、採点手段４６１Ａと、出席者確認手段４６１Ｂと、出欠結果集計手段４６１Ｃと、採点結果集計手段４６１Ｄと、代筆チェック手段４６１Ｅとを含んで構成されている。
【０２２７】
採点手段４６１Ａは、解答受取手段４５０のホストコンピュータの解答ファイル作成手段により作成された解答ファイル、および問題・正解対応関係データ作成手段４３２により作成されて問題・正解対応関係データ記憶手段（例えば、ＦＤ等の記録媒体など）に記憶された問題・正解対応関係データ（正解表）に基づき、すなわち解答受取手段４５０により受け取った各解答者による解答データおよび問題種別識別情報（問題番号）、並びに問題・正解対応関係データ（正解表）に基づき、各解答者による解答を採点する処理を行うものである。
【０２２８】
出席者確認手段４６１Ｂ、出欠結果集計手段４６１Ｃ、採点結果集計手段４６１Ｄ、代筆チェック手段４６１Ｅは、前記第１実施形態の出席者確認手段４１Ｂ、出欠結果集計手段４１Ｃ、採点結果集計手段４１Ｄ、代筆チェック手段４１Ｅとそれぞれ同様な機能を有するものである。
【０２２９】
学籍番号記憶手段４６２、採点結果記憶手段４６３、出欠結果記憶手段４６４は、前記第１実施形態の学籍番号記憶手段４２、採点結果記憶手段４３、出欠結果記憶手段４４とそれぞれ同様な機能を有するものである。
【０２３０】
そして、出題者用コンピュータ４２０の設問文・選択肢作成手段４２１、印刷用コンピュータ４３０のシャフル手段４３１、問題・正解対応関係データ作成手段４３２、印刷処理手段４３３、解答受取手段４５０のホストコンピュータの解答ファイル作成手段、および採点用コンピュータ４６０の処理手段４６１を構成する各手段４６１Ａ〜４６１Ｅは、各コンピュータ本体（パーソナル・コンピュータのみならず、その上位機種のものも含む。）の内部に設けられた中央演算処理装置（ＣＰＵ）、およびこのＣＰＵの動作手順を規定する一つまたは複数のプログラムにより実現される。
【０２３１】
また、携帯型解答者端末装置４４０の処理手段４４１を構成する各手段４４１Ａ，４４１Ｂは、ＰＤＡ本体の内部に設けられた中央演算処理装置（ＣＰＵ）、およびこのＣＰＵの動作手順を規定する一つまたは複数のプログラムにより実現される。
【０２３２】
さらに、採点用コンピュータ４６０の学籍番号記憶手段４６２、採点結果記憶手段４６３、および出欠結果記憶手段４６４は、例えばハードディスク等により好適に実現されるが、記憶容量やアクセス速度等に問題が生じない範囲であれば、ＲＯＭ、ＥＥＰＲＯＭ、フラッシュ・メモリ、ＲＡＭ、ＭＯ、ＣＤ−ＲＯＭ、ＣＤ−Ｒ、ＣＤ−ＲＷ、ＤＶＤ−ＲＯＭ、ＤＶＤ−ＲＡＭ、ＦＤ、磁気テープ、あるいはこれらの組合せ等を採用してもよい。
【０２３３】
また、携帯型解答者端末装置４４０の指定問題記憶手段４４２、解答データ記憶手段４４３、および解答者識別情報記憶手段４４４は、ＰＤＡに内蔵されたＲＡＭやＥＥＰＲＯＭ等により実現される。
【０２３４】
このような第４実施形態においては、以下のようにして試験問題作成・採点システム４００により試験問題の作成および採点が行われる。
【０２３５】
図１０において、先ず、出題者（教員）は、例えば自分の研究室や自宅等に設置されている出題者用コンピュータ４２０を操作し、設問文・選択肢作成手段４２１により、自分の考えた設問文および解答選択肢を配列してなる設問文・選択肢データを、例えばエクセルシート等の形式で作成した後、作成した設問文・選択肢データ４２２を設問文・選択肢ファイルとしてＦＤ等の記録媒体に記録保存する（ステップＳ４０１）。
【０２３６】
次に、出題者（教員）は、設問文・選択肢データを記録したＦＤ等の記録媒体を、例えば事務室等に設置されている印刷用コンピュータ４３０の処まで持っていき、設問文・選択肢データを印刷用コンピュータ４３０に読み込ませる（ステップＳ４０２）。なお、印刷用コンピュータ４３０を操作する作業は、教員が自分で行ってもよく、例えば事務室の事務員等が行ってもよい。
【０２３７】
そして、印刷用コンピュータ４３０では、シャフル手段４３１により、読み込んだ設問文・選択肢データに基づき、シャフル用乱数表４３１Ａを用いて無作為に解答選択肢の並べ替えを行い、一題の小問または複数題の各小問の中の解答選択肢の配列を変更する。また、これと同時に、問題・正解対応関係データ作成手段４３２により、問題・正解対応関係データを正解表の形で作成する（ステップＳ４０３）。
【０２３８】
続いて、印刷処理手段４３３により、複数種類の試験問題を配列した問題配列表（前記第１実施形態の図３の問題配列表３５と同様のもの）を基にして印刷装置４３４に指令を出し、印刷装置４３４により試験問題および問題番号を、問題用紙４１１に印刷する（ステップＳ４０４）。この際、一人の学生に配布する分の問題用紙４１１には、全種類（全てのパターン）の試験問題およびこれらに対応する問題番号が印刷される。
【０２３９】
また、問題・正解対応関係データ作成手段４３２により作成された正解表４３６を、正解表ファイルとしてＦＤ等の記録媒体に記録保存する（ステップＳ４０５）。
【０２４０】
その後、教員は、学生全員の分または何人かの分（一人分を含む）の問題用紙４１１および一台または複数台の携帯型解答者端末装置４４０を講義に持ち込んで各解答者（学生）に配布する（ステップＳ４０６）。
【０２４１】
学生は、配布された携帯型解答者端末装置４４０を操作し、バーコード読取手段４４７により、自分の学生証に付されているバーコードを読み取る（ステップＳ４０７）。読み取られたバーコード情報は、バーコード情報処理手段４４１Ｂにより処理され、これによりバーコードに含まれる解答者識別情報である学籍番号が把握される。また、把握した学籍番号を、解答者識別情報記憶手段４４４に記憶しておく。
【０２４２】
続いて、学生が携帯型解答者端末装置４４０を操作すると、問題指定処理手段４４１Ａにより、その学生が解答すべき試験問題の問題番号が、表示手段４４５の画面上に表示されて指定されるので（ステップＳ４０８）、学生は、指定された問題番号の試験問題を、配布された問題用紙４１１の中から探し、入力手段４４６を用いてこの試験問題に対する解答を携帯型解答者端末装置４４０に入力する（ステップＳ４０９）。また、指定した問題番号は、指定問題記憶手段４４２に記憶しておく。さらに、入力された解答データは、解答データ記憶手段４４３に記憶しておく。
【０２４３】
なお、携帯型解答者端末装置４４０が全員分用意されていない場合には、携帯型解答者端末装置４４０を複数の学生で回しながら使用し、ステップＳ４０７〜Ｓ４０９の処理を各学生毎に繰り返す。この場合には、各学生は、携帯型解答者端末装置４４０が自分の所に回ってきたときに、初めて自分が問題番号幾つの試験問題に解答すべきかということが判明する。また、問題用紙４１１が全員分用意されていない場合も、問題用紙４１１を複数の学生で回しながら使用すればよい。
【０２４４】
その後、解答入力を終了した学生（携帯型解答者端末装置４４０を回しながら使用した場合には、最後に使用した学生）は、解答受取手段４５０のいずれかの端末の前に並び、自分の順番が来た時に、自分が解答を入力した携帯型解答者端末装置４４０を、その端末に接続する。そして、解答受取手段４５０は、接続された携帯型解答者端末装置４４０から解答データを受け取る（ステップＳ４１０）。また、解答データとともに、問題種別識別情報（指定した試験問題の問題番号）や解答者識別情報（学籍番号）も受け取る。
【０２４５】
さらに、解答受取手段４５０では、ホストコンピュータの解答ファイル作成手段により、携帯型解答者端末装置４４０から受け取ったデータに基づき、解答ファイル４５３を作成する（ステップＳ４１１）。
【０２４６】
それから、解答ファイル作成手段により作成された解答ファイル４５３に保存されている解答データを採点用コンピュータ４６０に読み込むとともに（ステップＳ４１２）、問題・正解対応関係データ作成手段４３２により作成されて問題・正解対応関係データ記憶手段（例えば、ＦＤ等の記録媒体など）に記憶された問題・正解対応関係データ（正解表４３６）を採点用コンピュータ４６０に読み込む（ステップＳ４１３）。
【０２４７】
続いて、採点用コンピュータ４６０では、出席者確認手段４６１Ｂにより、学籍番号記憶手段４６２に記憶された全学生の学籍番号リスト４６２Ａを用いて在学生選択処理を行った後（ステップＳ４１４）、さらに学籍番号重複除去処理を行う（ステップＳ４１５）。そして、これらの処理を経て、携帯型解答者端末装置４４０から受け取った解答データの絞り込みが行われて採点対象となる出席者の解答データ４６５が準備されるとともに、出席者リスト４６６が作成されて表示または印刷され、また、出欠結果ファイルが作成されて出欠結果記憶手段４６４に記憶され、さらに、全学生の学籍番号リスト４６２Ａに無い学籍番号および学籍番号の重複に該当した場合の解答データを示す出欠エラーリストが作成されて表示または印刷される。
【０２４８】
また、採点用コンピュータ４６０では、問題・正解対応関係データ作成手段４３２により作成された正解表４３６について、コンピュータの内部カレンダ４６７により決定された試験の実施年月日と、科目コードとを追加する処理を行い（ステップＳ４１６）、これにより試験の実施年月日および科目コードを含んだ正解表４３６Ａが作成される。
【０２４９】
最後に、採点手段４６１Ａにより、出席者の解答データ４６５および正解表４３６Ａに基づき、採点を行う（ステップＳ４１７）。この採点結果は、採点結果ファイル４６８として採点結果記憶手段４６３に記憶されるとともに、適宜表示または印刷され、また、ＦＤ等の記録媒体に記録保存されて出題者用コンピュータ４２０の処まで持っていかれ、出題者用コンピュータ４２０に読み込まれる。また、代筆チェック手段４６１Ｅにより、代筆チェック作業を適宜行うことが好ましい。さらに、解答の数字が読みとれない等の場合には、採点処理時エラーリストが表示または印刷される。
【０２５０】
そして、以上に述べた処理を繰り返して試験を複数回実施した場合には、出欠結果集計手段４６１Ｃにより毎回の出欠結果を集計し、また、採点結果集計手段４６１Ｄにより毎回の採点結果を集計する。
【０２５１】
このような第４実施形態によれば、前記第１実施形態の場合と同様に、シャフル処理により各学生に対してそれぞれ異なる種類の試験問題を出題することができるという効果、それに伴うカンニング防止効果、学生の教育内容の理解度を正当に評価することができるという効果、学生の学習意欲の減退防止効果、限られたスペースでの試験の実効性の確保効果、各学生間に生じる不公平の防止効果、出題者の問題作成の手間の軽減効果、問題作成の無駄防止効果、それに伴う試験の効率向上効果、在学生選択処理および学籍番号重複除去処理による採点対象の絞り込み適正化効果、代筆チェックによる学生の不正行為の発見の容易化効果を得ることができる。
【０２５２】
［変形の形態］
なお、本発明は前記各実施形態に限定されるものではなく、本発明の目的を達成できる範囲内での変形等は本発明に含まれるものである。
【０２５３】
すなわち、前記第３、第４実施形態では、携帯型解答者端末装置３３０，４４０としてＰＤＡが用いられていたが、本発明の携帯型解答者端末装置は、これに限定されるものではなく、例えば、携帯電話機（ＰＨＳも含む）等を用いてもよい。携帯電話機とする場合には、本発明の携帯型解答者端末装置搭載用プログラムは、携帯電話機に内蔵されるプログラムではなく、外部からダウンロードして携帯電話機に記憶保存される携帯電話機搭載用プログラムとなる。
【０２５４】
また、前記各実施形態では、シャフル処理は、小問の中での各解答選択肢の配列の変更のみを行うものとされていたが、本発明のシャフル手段によるシャフル処理には、小問の中での各解答選択肢の配列および試験問題の中での各小問の配列の双方を変更する処理と、試験問題の中での各小問の配列の変更のみを行う処理とが含まれる。
【０２５５】
さらに、前記第１実施形態の試験問題作成・採点システム１０では、図１に示すように、採点用コンピュータ４０は、一台しか用意されていなかったが、図１１に示す試験問題作成・採点システム５００のように、複数の採点用コンピュータ５１０を用意してもよい。図１１において、複数の採点用コンピュータ５１０の各々には、前記第１実施形態の採点手段４１Ａと同様な機能を有する採点手段５１１と、この採点手段５１１による採点結果情報を含むバーコードを印刷するバーコード印刷手段５１２とが設けられ、かつ、前記第１実施形態のＯＣＲ読取装置４５と同様な機能を有するＯＣＲ読取装置５２０が接続されている。試験問題作成・採点システム５００のその他の部分の構成は、前記第１実施形態の試験問題作成・採点システム１０と同様である。
【０２５６】
図１１のシステム５００のように複数の採点用コンピュータ５１０の各々に、ＯＣＲ読取装置５２０および採点手段５１１を設けた場合には、次のような効果がある。すなわち、各解答者が解答等を記入したＯＣＲ用紙５３０を分散して各ＯＣＲ読取装置５２０により読み取ることができ、さらに、各ＯＣＲ読取装置５２０により読み取ったデータに基づき、各採点手段５１１により、複数の採点用コンピュータ５１０の各々で独立して採点を行うことができる。このため、採点処理の迅速化、効率化を図ることができる。
【０２５７】
また、図１１のシステム５００のように複数の採点用コンピュータ５１０の各々に、バーコード印刷手段５１２を設けた場合には、各バーコード印刷手段５１２により、複数の採点用コンピュータ５１０の各々で採点結果情報を含むバーコード５４０を印刷することができるので、これらのバーコード５４０を採点結果の集計に用いることができる。例えば、採点終了後に、採点結果情報を含むバーコード５４０をシールに印刷し、このバーコード５４０を印刷したシールを、バーコード貼付用集計用紙５５０に順次貼り付けていき、採点結果の集計時に、このバーコード貼付用集計用紙５５０に貼り付けられた各バーコード５４０を、集計用コンピュータ５６０に設けられたバーコード読取手段５７０により読み取るようにすれば、採点結果の集計処理を容易に行うことができる。集計用コンピュータ５６０は、バーコード読取手段５７０により読み取ったデータを処理してバーコードに含まれる情報（ここでは、採点結果）を把握するバーコード情報処理手段５６１と、このバーコード情報処理手段５６１で処理して得られた採点結果（各採点用コンピュータ５１０の採点手段５１１により個別に算出された各採点結果）を集計する採点結果集計手段５６２とを備えている。
【０２５８】
そして、前記第２実施形態の試験問題作成・採点システム２００では、各解答者は、図６のステップＳ２０８で、入力手段２３２を用いて解答とともに学籍番号等も入力するようになっていたが、各解答者端末装置２３０にバーコード読取手段（前記第３、第４実施形態のバーコード読取手段３３５，４４７と同様な構成および機能を有するもの）およびバーコード情報処理手段（前記第３、第４実施形態のバーコード情報処理手段３３１Ｅ，４４１Ｂと同様な構成および機能を有するもの）を設けておき、学生証に付されているバーコードを読み取ることにより、解答者識別情報である学籍番号等の入力および把握を行うようにしてもよい。また、これらのバーコード読取手段およびバーコード情報処理手段を設けた場合には、試験を実施せずに単に出欠確認を行う際にもこれらの機能を利用することができる。
【０２５９】
【発明の効果】
以上に述べたように本発明によれば、出題者が作成した設問文および複数の解答選択肢を配列してなる設問文・選択肢データに基づき、小問の中での各解答選択肢の配列および／または試験問題の中での各小問の配列を変更するために各解答選択肢および／または前記各小問を自動的に並べ替えるシャフル処理を行うので、各解答者に対し、異なる種類の試験問題を出題することができるため、限られたスペースで、カンニングを防止しつつ、効率的に試験を実施することができるという効果がある。
【図面の簡単な説明】
【図１】本発明の第１実施形態の試験問題作成・採点システムの全体構成図。
【図２】第１実施形態のシステムによる処理の流れを示すフローチャートの図。
【図３】第１実施形態のシステムによる試験問題の作成過程の説明図。
【図４】第１実施形態のシステムで作成した試験問題に対する解答を記入するためのＯＣＲ用紙を示す図。
【図５】本発明の第２実施形態の試験問題作成・採点システムの全体構成図。
【図６】第２実施形態のシステムによる処理の流れを示すフローチャートの図。
【図７】本発明の第３実施形態の試験問題作成・採点システムの全体構成図。
【図８】第３実施形態のシステムによる処理の流れを示すフローチャートの図。
【図９】本発明の第４実施形態の試験問題作成・採点システムの全体構成図。
【図１０】第４実施形態のシステムによる処理の流れを示すフローチャートの図。
【図１１】本発明の変形の形態を示す試験問題作成・採点システムの一部の構成図。
【符号の説明】
１０，２００，３００，４００，５００　試験問題作成・採点システム
１１　問題用紙
１２，５３０　ＯＣＲ用紙
２２　設問文・選択肢データ
３１，２４１Ｂ，３３１Ｂ，４３１　シャフル手段
３２，２４１Ｃ，４３２　問題・正解対応関係データ作成手段
３３，４３３　印刷処理手段
３４，４３４　印刷装置
３６　問題・正解対応関係データである正解表
４１Ａ，２４１Ｇ，３６１Ａ，４６１Ａ，５１１　採点手段
４５，５２０　ＯＣＲ読取装置
２０１　ネットワーク
２３０　解答者端末装置
２３１，３３２，４４５　表示手段
２３２，３３３，４４６　入力手段
２４０　試験問題作成・採点サーバ
２４１Ｄ　問題画面生成手段
２４１Ｅ　問題画面送信手段
２４１Ｆ　解答受信手段
２４２　問題・正解対応関係データ記憶手段
３２２　設問文・選択肢データ配信手段
３３０，４４０　携帯型解答者端末装置
３３５，４４７　バーコード読取手段
３３６　変更前後対応関係情報記憶手段
３５０，４５０　解答受取手段
４４１Ｂ　問題指定処理手段
５１２　バーコード印刷手段
【図１】
2004144903.tif 000003
【図２】
2004144903.tif 000004
【図３】
2004144903.tif 000005
【図４】
2004144903.tif 000006
【図５】
2004144903.tif 000007
【図６】
2004144903.tif 000008
【図７】
2004144903.tif 000009
【図８】
2004144903.tif 000010
【図９】
2004144903.tif 000011
【図１０】
2004144903.tif 000012
【図１１】
2004144903.tif 000013